(57)【要約】      （修正有）【課題】レセプト、診療記録および介護記録のうちの少なくとも１つのチェックを支援することができる医療介護事務支援装置を提供する。【解決手段】医療介護事務支援装置ＭＣにおいて、ＭＣタグファイル記憶部３６２は、タグファイル（紐づけ情報）を予め記憶する。紐づけ情報は、在宅医療動画中の所定時間帯の部分を示し、タグ付けされた部分動画と、電子レセプト（所定書類）中の部分動画と関係する項目（関係箇所）と、を紐付ける。ＭＣカルテ・レセプト処理部３２６（表示制御部）は、紐付け情報を基にして電子レセプトを表示する制御を行い、電子レセプトにおいて、部分動画と紐付けられた項目（関係箇所）を電子レセプトの他の項目（他の箇所）と区別して表示する制御をする。【選択図】図６
2018185728.tif 000002
【特許請求の範囲】
【請求項１】
医療介護サービスを受けているサービス受益者が写されている動画中の所定時間帯の部分を示すタグが付けられた部分動画と、レセプト、診療記録および介護記録の少なくとも１つである所定書類中の前記部分動画と関係する関係箇所と、を紐付ける紐付け情報を、予め記憶する記憶部と、
前記紐付け情報を基にして前記所定書類の画像を表示する制御をし、前記所定書類の画像において、前記関係箇所を前記所定書類の他の箇所と区別して表示する制御をする表示制御部と、を備える医療介護事務支援装置。
【請求項２】
前記動画を再生する制御をする再生制御部と、
入力部と、
前記表示制御部が前記所定書類の画像を表示する制御中に、前記入力部が操作されて、前記関係箇所が選択されたとき、前記再生制御部は、前記紐付け情報を基にして、前記動画の中から、選択された前記関係箇所が紐付けられた前記部分動画を再生する制御をする、請求項１に記載の医療介護事務支援装置。
【請求項３】
前記再生制御部が、複数の前記部分動画を含む前記動画を再生する制御をし、前記動画の再生部分が、前記複数の部分動画のうちの１つの部分動画と判断したとき、前記表示制御部は、前記１つの部分動画と関係する前記関係箇所を、残りの前記複数の部分動画と関係する前記関係箇所と区別して表示する制御をする、請求項１または２に記載の医療介護事務支援装置。
【請求項４】
前記再生制御部は、前記紐付け情報によって前記関係箇所が紐付けられた前記部分動画である第１部分動画と、前記紐付け情報によって前記関係箇所が紐付けられていない前記部分動画である第２部分動画と、を含む前記動画を再生する制御をし、前記動画の再生中に、前記第１部分動画に付けられた前記タグと対応付けられた第１タグ情報と、前記第２部分動画に付けられた前記タグと対応付けられた第２タグ情報とを区別して表示する制御をする、請求項１〜３のいずれか一項に記載の医療介護事務支援装置。
【請求項５】
前記医療介護サービスは、在宅医療サービス、訪問看護サービス、および、訪問介護サービスの少なくともいずれか１つである、請求項１〜４のいずれか一項に記載の医療介護事務支援装置。
【請求項６】
医療介護サービスを受けているサービス受益者が写されている動画中の所定時間帯の部分を示すタグが付けられた部分動画と、レセプト、診療記録および介護記録の少なくとも１つである所定書類中の前記部分動画と関係する関係箇所と、を紐付ける紐付け情報を予め記憶する記憶部と、
前記動画を再生する制御をする再生制御部と、
前記所定書類の画像を表示する制御をする表示制御部と、
入力部と、を備え、
前記表示制御部が前記所定書類の画像を表示する制御中に、前記入力部が操作されて、前記関係箇所が選択されたとき、前記再生制御部は、前記紐付け情報を基にして、前記動画の中から、選択された前記関係箇所が紐付けられた前記部分動画を再生する制御をする、医療介護事務支援装置。
【請求項７】
医療介護サービスを受けているサービス受益者が写されている動画中の所定時間帯の部分を示すタグが付けられた部分動画と、レセプト、診療記録および介護記録の少なくとも１つである所定書類中の前記部分動画と関係する関係箇所と、を紐付ける紐付け情報を、予め記憶する記憶ステップと、
前記紐付け情報を基にして前記所定書類の画像を表示する制御をし、前記所定書類の画像において、前記関係箇所を前記所定書類の他の箇所と区別して表示する制御をする表示ステップと、を備える医療介護事務支援方法。
【請求項８】
請求項１〜６のいずれか一項に記載の医療介護事務支援装置と、
前記医療介護事務支援装置とネットワークを介して通信可能に接続され、前記動画を撮影するセンサ装置と、を備える医療介護事務支援システム。
【発明の詳細な説明】
【技術分野】
【０００１】
本発明は、医療介護事務（例えば、レセプト業務）を支援する技術に関する。
【背景技術】
【０００２】
我が国（日本）のような高齢化社会では、病気や怪我や高齢等による看護や介護を必要とする要看護者や要介護者等の増加が今後さらに見込まれる。これら要看護者や要介護者等は、病院や、老人福祉施設等の施設に入所し、その看護や介護を受ける。このような施設では、看護師や介護士等が、定期的に巡視することによってその安否や様子を確認している。この安否確認の点では、一人暮らしの独居者も前記要看護者や要介護者等と同様である。一方、近年では、独りで移動の困難な者や在宅の療養を希望する者等のために、訪問診療や往診等の在宅医療も要請されている。
【０００３】
このような業界では、医療や看護や介護等のサービスを要請する者の増加に較べて、前記サービスを提供する者の増加が追いつかず、慢性的に人手不足になっている。このため、前記サービスや前記サービスに関連して生じる業務の負担を軽減するため、前記サービスや前記業務を補完する技術が求められている。その１つに、特許文献１には、レセプト電算データチェックシステムが提案されている。レセプトとは、病院等の医療機関で医療報酬を請求（保険請求）するために毎月作成される医療報酬の明細書をいい、医療機関は、レセプトを審査機関に提出し、審査機関の審査を通過すると、医療報酬が医療機関に支払われる。レセプトには、医科、歯科の場合に作成される診療報酬明細書、調剤の場合に作成される薬剤報酬明細書、および、訪問看護の場合に作成される訪問看護療養費明細書等の複数種類の明細書がある。
【０００４】
前記特許文献１に開示されたレセプト電算データチェックシステムは、各種診療行為または医薬品がそれぞれ適用される病名に対応付けられてデータベース（１４）として蓄積された記憶部（２）と、レセプトデータ（３）に記憶された診療行為または医薬品が適用される病名を適応病名として記憶部（２）の前記データベース（１４）から取得する取得手段と、該取得手段により取得した適応病名が前記レセプトデータ（３）に含まれているか否かを識別することにより、前記診療行為または医薬品が適切であったか否かを点検する点検手段とを備える。このレセプト電算データチェックシステムでは、適応病名として診療行為または医薬品が標準的に適用される標準病名と、標準病名に近い症状の病名である関連病名とが設けられ、取得手段は、レセプトデータ（３）に記憶された診療行為または医薬品の標準病名および関連病名の全てを適応病名として取得し、点検手段は、取得手段により取得した適応病名の内の何れかが前記レセプトデータ（３）に含まれているか否かを識別し、これによって点検が実施される。
【先行技術文献】
【特許文献】
【０００５】
【特許文献１】特開２００９−８７１０５号公報
【発明の概要】
【発明が解決しようとする課題】
【０００６】
ところで、前記特許文献１に開示されたレセプト電算データチェックシステムでは、実際に実施された診療行為や実際に処方された医薬品は、既に、レセプトデータに記憶されたデータであり、前記特許文献１に開示されたレセプト電算データチェックシステムは、レセプトデータに記憶された診療行為や医薬品が適切であったか否かを点検している。したがって、前記特許文献１に開示されたレセプト電算データチェックシステムは、レセプト作成後の業務を軽減でき、この点、便利である。しかしながら、既に作成されたレセプトについて間違いがないかが後でチェックされるので、このチェックの作業の軽減も要請されている。特に在宅医療では、レセプト作成業務の担当者が現場に同行することはなく、また、記録が必ずしも現場で確実に実施されるとも限らない。このため、誤記入や記入漏れの虞がある。また、診療記録や介護記録も同様の事情にある。
【０００７】
本発明は、上述の事情に鑑みて為された発明であり、その目的は、レセプト、診療記録および介護記録のうちの少なくとも１つのチェックを支援できる医療介護事務支援装置、医療介護事務支援方法および医療介護事務支援システムを提供することである。
【課題を解決するための手段】
【０００８】
本発明の第１局面における医療介護事務支援装置は、医療介護サービスを受けているサービス受益者が写されている動画中の所定時間帯の部分を示すタグが付けられた部分動画と、レセプト、診療記録および介護記録の少なくとも１つである所定書類中の前記部分動画と関係する関係箇所と、を紐付ける紐付け情報を、予め記憶する記憶部と、前記紐付け情報を基にして前記所定書類の画像を表示する制御をし、前記所定書類の画像において、前記関係箇所を前記所定書類の他の箇所と区別して表示する制御をする表示制御部と、を備える。
【０００９】
タグは、動画中の所定時間帯（例えば、問診の時間帯）を他の時間帯と区別するために、部分動画に付けられる。表示制御部は、所定書類の画像を表示する際に、所定書類のうち、タグ付けされた部分動画と関係する関係箇所（例えば、「問診」の項目）を、所定書類の他の箇所と区別して表示する制御をする。従って、本発明の第１局面における医療介護事務支援装置によれば、ユーザが、動画を見ながら所定書類をチェックするとき、タグ付けされた部分動画と所定書類中の関係箇所とをスムーズに照合することができる。
【００１０】
医療介護サービスは、在宅医療サービス、訪問看護サービス、および、訪問介護サービスの少なくともいずれか１つであることが好ましい。これらのサービスは、病院外、介護施設外で実施されるので、所定書類に記載すべき事項について、医療介護サービスを提供する者が誤記入、記入漏れすることがよくあるからである。
【００１１】
上記構成において、前記動画を再生する制御をする再生制御部と、入力部と、前記表示制御部が前記所定書類の画像を表示する制御中に、前記入力部が操作されて、前記関係箇所が選択されたとき、前記再生制御部は、前記紐付け情報を基にして、前記動画の中から、選択された前記関係箇所が紐付けられた前記部分動画を再生する制御をする。
【００１２】
ユーザは所定書類中の関係箇所をチェックするときに、関係箇所が紐付けられた部分動画を見てチェックしたいことがある。この構成によれば、ユーザが動画中から、関係箇所が紐付けられた部分動画をサーチする操作（例えば、「早送り」ボタンの操作）をしなくてもよいので、ユーザの手間が省ける。
【００１３】
上記構成において、前記再生制御部が、複数の前記部分動画を含む前記動画を再生する制御をし、前記動画の再生部分が、前記複数の部分動画のうちの１つの部分動画と判断したとき、前記表示制御部は、前記１つの部分動画と関係する前記関係箇所を、残りの前記複数の部分動画と関係する前記関係箇所と区別して表示する制御をする。
【００１４】
この構成によれば、動画の再生部分が、所定書類の関係箇所と紐付けられた部分動画であるとき、所定書類の関係箇所のうち、この部分動画と紐付けられた関係箇所を容易に見つけることができる。所定書類中の関係箇所の数が多い場合に特に有効である。
【００１５】
上記構成において、前記再生制御部は、前記紐付け情報によって前記関係箇所が紐付けられた前記部分動画である第１部分動画と、前記紐付け情報によって前記関係箇所が紐付けられていない前記部分動画である第２部分動画と、を含む前記動画を再生する制御をし、前記動画の再生中に、前記第１部分動画に付けられた前記タグと対応付けられた第１タグ情報と、前記第２部分動画に付けられた前記タグと対応付けられた第２タグ情報とを区別して表示する制御をする。
【００１６】
タグ付けされた部分動画の中には、所定書類と関係しいない部分動画がある。例えば、医療介護サービス中の雑談の時間帯の部分動画である。再生制御部は、所定書類と関係する部分動画（第１部分動画）と、所定書類と関係しいない部分動画（第２部分動画）と、を含む動画の再生中に、第１部分動画に付けられたタグと対応付けられた第１タグ情報（例えば「問診」）と、第２部分動画に付けられたタグと対応付けられた第２タグ情報（例えば「雑談」）と、を区別して表示する。これにより、ユーザは、部分動画のうち、チェックすべき部分動画（すなわち、第１の部分動画）を素早く見つけることができる。
【００１７】
本発明の第２局面における医療介護事務支援装置は、医療介護サービスを受けているサービス受益者が写されている動画中の所定時間帯の部分を示すタグが付けられた部分動画と、レセプト、診療記録および介護記録の少なくとも１つである所定書類中の前記部分動画と関係する関係箇所と、を紐付ける紐付け情報を予め記憶する記憶部と、前記動画を再生する制御をする再生制御部と、前記所定書類の画像を表示する制御をする表示制御部と、入力部と、を備え、前記表示制御部が前記所定書類の画像を表示する制御中に、前記入力部が操作されて、前記関係箇所が選択されたとき、前記再生制御部は、前記紐付け情報を基にして、前記動画の中から、選択された前記関係箇所が紐付けられた前記部分動画を再生する制御をする。
【００１８】
ユーザは所定書類中の関係箇所をチェックするときに、関係箇所が紐付けられた部分動画を見てチェックしたいことがある。本発明の第２局面における医療介護事務支援装置によれば、ユーザが動画中から、関係箇所が紐付けられた部分動画をサーチする操作（例えば、「早送り」ボタンの操作）をしなくてもよいので、ユーザの手間が省ける。
【００１９】
本発明の第３局面における医療介護事務支援方法は、医療介護サービスを受けているサービス受益者が写されている動画中の所定時間帯の部分を示すタグが付けられた部分動画と、レセプト、診療記録および介護記録の少なくとも１つである所定書類中の前記部分動画と関係する関係箇所と、を紐付ける紐付け情報を、予め記憶する記憶ステップと、前記紐付け情報を基にして前記所定書類の画像を表示する制御をし、前記所定書類の画像において、前記関係箇所を前記所定書類の他の箇所と区別して表示する制御をする表示ステップと、を備える。
【００２０】
本発明の第３局面における医療介護事務支援方法は、本発明の第１局面における医療介護事務支援装置を方法の観点から規定しており、本発明の第１局面における医療介護事務支援装置と同様の作用効果を有する。
【００２１】
本発明の第４局面における医療介護事務支援システムは、前記医療介護事務支援装置と、前記医療介護事務支援装置とネットワークを介して通信可能に接続され、前記動画を撮影するセンサ装置と、を備える。
【００２２】
本発明の第４局面における医療介護事務支援システムによれば、医療介護事務支援装置が本発明の第１局面における医療介護事務支援装置の場合、本発明の第１局面における医療介護事務支援装置と同様の作用効果を有し、医療介護事務支援装置が本発明の第２局面における医療介護事務支援装置の場合、本発明の第２局面における医療介護事務支援装置と同様の作用効果を有する。
【発明の効果】
【００２３】
本発明によれば、レセプト、診療記録および介護記録のうちの少なくとも１つのチェックを支援することができる。
【図面の簡単な説明】
【００２４】
【図１】実施形態における医療介護事務支援システムの一例の構成を示す構成図である。
【図２】図１に示す医療介護事務支援システムに備えられるセンサ装置の構成を示すブロック図である。
【図３】図１に示す医療介護事務支援システムに備えられるサーバ装置の構成を示すブロック図である。
【図４】電子カルテの一例を示す模式図である。
【図５】電子レセプトの一例を示す模式図である。
【図６】図１に示す医療介護事務支援システムに備えられる医療介護事務支援装置の構成を示すブロック図である。
【図７】タグファイルの一例を説明する説明図である。
【図８】タグ付けに関する、医療介護事務支援システムの動作について説明するフローチャートである。
【図９】タグ付け画面の一例を示す模式図である。
【図１０】電子カルテの項目と電子レセプトの項目とタグ付けされた部分動画との紐づけに用いられるメニューを説明する説明図である。
【図１１】タグ付けの操作がされたタグ付け画面の一例を示す模式図である。
【図１２】電子カルテおよび電子レセプトのチェックに関する、医療介護事務支援システムの第１動作について説明するフローチャートである。
【図１３】電子カルテおよび電子レセプトのチェックに関する初期画面の一例を示す模式図である。
【図１４】在宅医療動画ウィンドウの一例を示す模式図である。
【図１５】電子カルテウィンドウの一例を示す模式図である。
【図１６】電子レセプトウィンドウの一例を示す模式図である。
【図１７】問診の時間帯の部分動画に到達したときの電子カルテウィンドウの一例を示す模式図である。
【図１８】問診の時間帯の部分動画に到達したときの電子レセプトウィンドウの一例を示す模式図である。
【図１９】電子カルテおよび電子レセプトのチェックに関する、医療介護事務支援システムの第２動作について説明するフローチャートである。
【図２０】タグファイルの他の例を説明する説明図である。
【図２１】在宅医療動画ウィンドウの他の例を示す模式図である。
【発明を実施するための形態】
【００２５】
以下、図面に基づいて本発明の実施形態を詳細に説明する。各図において、同一符号を付した構成は、同一の構成であることを示し、その構成について、既に説明している内容については、その説明を省略する。本明細書において、総称する場合には添え字を省略した参照符号で示し、個別の構成を指す場合には添え字を付した参照符号で示す。
【００２６】
図１は、実施形態における医療介護事務支援システムＭＣＳの一例の構成を示す構成図である。実施形態における医療介護事務支援システムＭＣＳは、例えば、音声付きの動画を生成する、１または複数のセンサ装置ＳＵ（図１に示す例ではｋ個のセンサ装置ＳＵ−１，ＳＵ−２，ＳＵ−３，・・・，ＳＵ−ｋ）と、センサ装置ＳＵとネットワークＮＷを介して通信可能に接続され、医療介護事務を支援する医療介護事務支援装置ＭＣと、を備える。医療介護事務支援システムＭＣＳは、さらに、他の装置とネットワークＮＷを介して通信可能に接続されるサーバ装置ＳＶと、所定の近距離無線通信規格でセンサ装置ＳＵと近距離無線通信可能に接続され、他の装置とネットワークＮＷを介して通信可能に接続される、１または複数の携帯端末装置ＴＡ（図１に示す例では２個の携帯端末装置ＴＡ−１，ＴＡ−２）と、を備える。
【００２７】
ネットワーク（通信回線）ＮＷは、例えば、電話網、データ通信網および移動通信網等を備えて構成され、例えば、ＦＴＰ（Ｆｉｌｅ  Ｔｒａｎｓｆｅｒ  Ｐｒｏｔｏｃｏｌ）、ＨＴＴＰ（Ｈｙｐｅｒ  Ｔｅｘｔ  Ｔｒａｎｓｆｅｒ  Ｐｒｏｔｏｃｏｌ）、ＴＣＰ（Ｔｒａｎｓｍｉｓｓｉｏｎ  Ｃｏｎｔｒｏｌ  Ｐｒｏｔｏｃｏｌ）およびＩＰ（Ｉｎｔｅｒｎｅｔ  Ｐｒｏｔｏｃｏｌ）等のいわゆるインターネットプロトコル群を用いることによってインターネットを構成する。あるいは、ネットワークＮＷは、例えば無線や有線を用いたイーサネット環境のＬＡＮ（Ｌｏｃａｌ  Ａｒｅａ  Ｎｅｔｗｏｒｋ）であっても良い。なお、イーサネットは、登録商標である。
【００２８】
センサ装置ＳＵは、音声付きの動画を生成する装置である。センサ装置ＳＵは、近距離無線通信規格で近距離無線通信し、携帯端末装置ＴＡと近距離無線通信が可能になると前記動画の生成を開始し、近距離無線通信可能であった携帯端末装置ＴＡとの近距離無線通信が不可能になると前記動画の生成を終了し、生成した前記動画を記憶する。センサ装置ＳＵは、記憶した前記動画を所定のタイミングでサーバ装置ＳＶへ送信する。
【００２９】
センサ装置ＳＵは、サービス受益者Ｏｂが所在を予定している空間（例えばサービス受益者Ｏｂが生活をしている部屋（居室））に配置される。サービス受益者Ｏｂとは、医療介護サービス（例えば医療（在宅医療）、看護（訪問看護）、介護（訪問介護））を受けている者を意味する。図１に示す例では、ｋ人のサービス受益者Ｏｂ−１，Ｏｂ−２，Ｏｂ−３，・・・，Ｏｂ−ｋのそれぞれが住む、ｋ個の住戸ＨＳ−１，ＨＳ−２，ＨＳ−３，・・・，ＨＳ−ｋにおいて、サービス受益者Ｏｂ−１，Ｏｂ−２，Ｏｂ−３，・・・，Ｏｂ−ｋが生活している部屋のそれぞれに、ｋ個のセンサ装置ＳＵ−１，ＳＵ−２，ＳＵ−３，・・・，ＳＵ−ｋが配置されている。サービス受益者Ｏｂが施設に住んでいる場合、その施設において、サービス受益者Ｏｂが生活している部屋（居室）にセンサ装置ＳＵが配置される。なお、本明細書において、サービス提供者ＮＳとは、医療介護サービスを提供する者（例えば医師、看護師、介護士）を意味する。
【００３０】
サーバ装置ＳＶは、センサ装置ＳＵから前記動画を受信した場合に受信した前記動画をセンサ装置ＳＵに対応付けて記憶する。サーバ装置ＳＶは、医療介護事務支援装置ＭＣから、センサ装置ＳＵを指定して前記動画の要求を受信した場合に、指定されたセンサ装置ＳＵに対応する前記動画をセンサ装置ＳＵと対応付けて医療介護事務支援装置ＭＣへ返信する。なお、医療介護事務支援装置ＭＣは、サーバ装置ＳＶを介さずに、センサ装置ＳＵから、センサ装置ＳＵと対応付けられ、センサ装置ＳＵで生成された前記動画を取得しても良い。
【００３１】
医療介護事務支援装置ＭＣは、上述のようにサーバ装置ＳＶを介して、センサ装置ＳＵで生成された前記動画を取得し、この動画を用いて医療介護事務を支援する。
【００３２】
以下では、医療介護サービスのうち、在宅医療サービスを例にして説明する。サービス提供者ＮＳがサービス受益者Ｏｂの住戸ＨＳに訪れ、在宅医療をしたときに、センサ装置ＳＵによって音声付き動画が撮影される。本明細書において、この動画を在宅医療動画と称する。在宅医療動画には、サービス提供者ＮＳと、サービス提供者ＮＳから在宅医療サービスを受けているサービス受益者Ｏｂとが写されている。
【００３３】
在宅医療動画のうち、所定行為（例えば、医療行為のような料金を請求できる行為）がされている時間帯の部分を部分動画と称する。ユーザは、医療介護事務支援装置ＭＣを用いて、予め、部分動画にタグ付けをし、電子カルテ（カルテは診療記録を構成する要素の一つである）および電子レセプトに含まれる複数の項目のうち、その部分動画と関係する関係箇所（上記例の場合、「問診」の項目）を紐づけておく。そして、ユーザは、医療介護事務支援装置ＭＣを用いて、在宅医療動画を見ながら、電子カルテ、電子レセプトに誤記入、記入漏れがあるかをチェックするとき、部分動画と紐付けられた関係箇所（上記例の場合、「問診」の項目）を他の箇所と区別して、医療介護事務支援装置ＭＣに表示する。これにより、ユーザは、効率的に電子カルテ、電子レセプトをチェックすることができる。
【００３４】
センサ装置ＳＵについて詳しく説明する。図２は、図１に示す医療介護事務支援システムＭＣＳに備えられるセンサ装置ＳＵの構成を示すブロック図である。
【００３５】
センサ装置ＳＵは、ネットワークＮＷを介して他の装置ＳＶ，ＭＣ，ＴＡと通信する通信機能等を備え、在宅医療動画（在宅医療動画データ）を生成し、生成した在宅医療動画を、サーバ装置ＳＶへ送信する装置である。センサ装置ＳＵは、例えば、動画生成部１１と、センサ側制御処理部（ＳＵ制御処理部）１２と、センサ側通信インターフェース部（ＳＵ通信ＩＦ部）１３と、センサ側近距離無線通信インターフェース部（ＳＵ近距離無線通信ＩＦ部）１４と、センサ側記憶部（ＳＵ記憶部）１５と、を備える。
【００３６】
動画生成部１１は、ＳＵ制御処理部１２と接続され、ＳＵ制御処理部１２の制御に従って在宅医療動画を生成する装置であり、例えばビデオカメラ等である。動画生成部１１は、サービス受益者Ｏｂおよびサービス提供者ＮＳを撮影可能な位置に配設される。実施形態では、特に在宅医療での電子カルテおよび電子レセプトのチェックを好適に支援できる観点から、動画生成部１１は、サービス受益者Ｏｂが生活をしている部屋（居室）に配置される。
【００３７】
ＳＵ通信ＩＦ部１３は、ＳＵ制御処理部１２に接続され、ＳＵ制御処理部１２の制御に従ってネットワークＮＷを介して他の装置と通信を行うための通信回路であり、例えばデータ通信カード等である。ＳＵ通信ＩＦ部１３は、ＳＵ制御処理部１２から入力された転送すべきデータを収容した通信信号を、医療介護事務支援システムＭＣＳのネットワークＮＷで用いられる通信プロトコルに従って生成し、この生成した通信信号を、ネットワークＮＷを介して他の装置、ここではサーバ装置ＳＶへ送信する。ＳＵ通信ＩＦ部１３は、ネットワークＮＷを介して他の装置、ここではサーバ装置ＳＶから通信信号を受信し、この受信した通信信号からデータを取り出し、この取り出したデータをＳＵ制御処理部１２が処理可能な形式のデータに変換してＳＵ制御処理部１２へ出力する。
【００３８】
ＳＵ近距離無線通信ＩＦ部１４は、近距離無線通信規格で無線通信を行う通信回路である。近距離無線通信規格は、数メートル範囲以内に存在する機器と通信するための規格であり、例えば、Ｂｌｕｅｔｏｏｔｈ（登録商標）規格やＩｒＤＡ（Ｉｎｆｒａｒｅｄ  Ｄａｔａ  Ａｓｓｏｃｉａｔｉｏｎ）規格等である。実施形態では、Ｐｒｏｘｉｍｉｔｙ  Ｐｒｏｆｉｌｅを利用するので、Ｂｌｕｅｔｏｏｔｈ規格を用いたインターフェース回路である。
【００３９】
ＳＵ記憶部１５は、ＳＵ制御処理部１２に接続され、ＳＵ制御処理部１２の制御に従って、各種の所定のプログラムおよび各種の所定のデータを記憶する回路である。前記各種の所定のプログラムには、例えば、動画生成部１１に在宅医療動画を生成させ、生成させた在宅医療動画をＳＵ通信ＩＦ部１３によってネットワークＮＷを介してサーバ装置ＳＶへ送信するＳＵ動画処理プログラムが含まれる。前記各種の所定のデータには、自機であるセンサ装置ＳＵを特定し識別するための識別子であるセンサ装置識別子（センサＩＤ）等が含まれる。ＳＵ記憶部１５は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１５は、前記所定のプログラムの実行中に生じるデータ等を記憶するいわゆるＳＵ制御処理部１２のワーキングメモリとなるＲＡＭ（Ｒａｎｄｏｍ  Ａｃｃｅｓｓ  Ｍｅｍｏｒｙ）等を含む。ＳＵ記憶部１５は、動画生成部１１が生成した在宅医療動画を記憶するセンサ側動画情報記憶部（ＳＵ動画情報記憶部）１５１、および、端末情報を記憶するセンサ側端末情報記憶部（ＳＵ端末情報記憶部）１５２を機能的に備える。ＳＵ動画情報記憶部１５１は、在宅医療動画を、少なくともサーバ装置ＳＶへ転送するまで、一時的に記憶する。前記端末情報は、近距離無線通信の可否が判定される所定の携帯端末装置ＴＡに関する情報、および、前記所定の携帯端末装置ＴＡとの近距離無線通信の可否に応じて実行される処理に関する情報である。実施形態では、ＳＵ近距離無線通信ＩＦ部１４には、Ｂｌｕｅｔｏｏｔｈ（登録商標）規格のインターフェース回路が用いられ、近距離無線通信の可否の判定には、Ｐｒｏｘｉｍｉｔｙ  Ｐｒｏｆｉｌｅが用いられるので、前記端末情報は、ペアリングの情報、および、スクリプトの情報等である。前記端末情報は、例えば、医療介護事務支援装置ＭＣや携帯端末装置ＴＡ等を用いてネットワークＮＷを介してＳＵ端末情報記憶部１５２に予め記憶され、設定される。
【００４０】
ＳＵ制御処理部１２は、センサ装置ＳＵの各部を当該各部の機能に応じてそれぞれ制御する。ＳＵ制御処理部１２は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１２は、センサ側制御部（ＳＵ制御部）１２１、センサ側動画処理部（ＳＵ動画処理部）１２２、センサ側端末探知部（ＳＵ端末探知部）１２３およびセンサ側時計部（ＳＵ時計部）１２４を機能的に備える。
【００４１】
ＳＵ制御部１２１は、センサ装置ＳＵの各部を当該各部の機能に応じてそれぞれ制御し、センサ装置ＳＵの全体制御を司るものである。
【００４２】
ＳＵ時計部１２４は、年月日時分を計時するものである。ＳＵ時計部１２４で計時された年月日時分は、後述するように、在宅医療動画のファイルネームの生成に用いられる。
【００４３】
ＳＵ端末探知部１２３は、ＳＵ近距離無線通信ＩＦ部１４で、予め設定された前記所定の携帯端末装置ＴＡと近距離無線通信可能か否かを判定し、その判定結果をＳＵ動画処理部１２２へ通知するものである。
【００４４】
ＳＵ動画処理部１２２は、ＳＵ端末探知部１２３から通知された判定結果に応じて動画生成部１１に在宅医療動画の生成開始およびその生成終了を指示し、動画生成部１１で生成した在宅医療動画をＳＵ動画情報記憶部１５１に記憶する。そして、ＳＵ動画処理部１２２は、予め設定されたタイミングでＳＵ動画情報記憶部１５１に記憶した在宅医療動画をＳＵ通信ＩＦ部１３でサーバ装置ＳＶへ送信する。
【００４５】
より具体的には、実施形態では、近距離無線通信可能か否かの判定およびその判定結果に応じた在宅医療動画の生成開始およびその終了には、例えば、Ｐｒｏｘｉｍｉｔｙ  Ｐｒｏｆｉｌｅが用いられる。このＰｒｏｘｉｍｉｔｙ  Ｐｒｏｆｉｌｅは、Ｂｌｕｅｔｏｏｔｈ（登録商標）で利用されるプロトコルであり、ペアリングされたデバイスとのＢｌｕｅｔｏｏｔｈ接続を監視し、その監視結果に応じてスクリプトで定義された所定の処理を実行するプロファイルである。より詳しくは、ＳＵ端末探知部１２３は、Ｐｒｏｘｉｍｉｔｙ  Ｐｒｏｆｉｌｅを用いてペアリングされた携帯端末装置ＴＡと近距離無線通信可能か否かを判定し、その判定結果をＳＵ動画処理部１２２へ通知する。ＳＵ動画処理部１２２は、スクリプトの定義に従って、携帯端末装置ＴＡと近距離無線通信が可能になったとの判定結果が通知された場合（例えばサービス提供者ＮＳが、サービス受益者Ｏｂが生活している部屋に入った場合）、動画生成部１１に在宅医療動画の生成を開始させ、一方、前記近距離無線通信可能であった携帯端末装置ＴＡとの近距離無線通信が不可能になったとの判定結果が通知された場合（例えばサービス提供者ＮＳが、サービス受益者Ｏｂが生活している部屋から出た場合）、在宅医療動画の生成を終了させ、生成した在宅医療動画を、ファイルネームを付してＳＵ動画情報記憶部１５１に記憶する。在宅医療動画のファイルネームは、適宜に設定されて良いが、例えば、「センサＩＤ＿当該センサ装置ＳＵでの生成順の通し番号＿年月日時分．在宅医療動画ファイルの拡張子」（一例では「ＳＵ１＿００１１＿２０１７０１２４１４２３．ｍｐ４」等）で構成される。このようなファイルネームでは、在宅医療動画データとその生成したセンサ装置ＳＵおよび年月日時それぞれとの対応付けがファイルネームによって実行でき、また、１つの医療介護事務支援システムＭＣＳにおいて、ファイルネームが重複することもない。
【００４６】
サーバ装置ＳＶについて詳しく説明する。図３は、図１に示す医療介護事務支援システムＭＣＳに備えられるサーバ装置ＳＶの構成を示すブロック図である。
【００４７】
サーバ装置ＳＶは、ネットワークＮＷを介して他の装置ＳＵ，ＭＣ，ＴＡと通信する通信機能等を備え、センサ装置ＳＶから在宅医療動画を受信した場合、受信した在宅医療動画をセンサ装置ＳＵに対応付けて記憶し、医療介護事務支援装置ＭＣから、センサ装置ＳＶを指定して在宅医療動画の要求を受信した場合に、指定されたセンサ装置ＳＵに対応する在宅医療動画をセンサ装置ＳＵと対応付けて医療介護事務支援装置ＭＣへ返信する装置である。サーバ装置ＳＶは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００４８】
ＳＶ通信ＩＦ部２１は、ＳＵ通信ＩＦ部１３と同様に、ＳＶ制御処理部２２に接続され、ＳＶ制御処理部２２の制御に従って通信を行うための通信回路であり、例えばデータ通信カード等である。
【００４９】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、受信した在宅医療動画を記憶し、要求に応じて在宅医療動画を送信するＳＶ動画処理プログラム等の制御処理プログラムが含まれる。前記各種の所定のデータには、在宅医療動画、タグファイルＴＧ（図７）、センサ情報、電子カルテおよび電子レセプト等が含まれる。ＳＶ記憶部２３は、例えばＲＯＭ、ＥＥＰＲＯＭおよびＲＡＭ等を備える。そして、ＳＶ記憶部２３は、在宅医療動画（在宅医療動画データ）を記憶するサーバ側動画情報記憶部（ＳＶ動画情報記憶部）２３１、タグファイルＴＧを記憶するサーバ側タグファイル記憶部（ＳＶタグファイル記憶部）２３２、前記センサ情報を記憶するサーバ側センサ情報記憶部（ＳＶセンサ情報記憶部）２３３、電子カルテを記憶するサーバ側カルテ記憶部（ＳＶカルテ記憶部）２３４、および、電子レセプトを記憶するサーバ側レセプト記憶部（ＳＶレセプト記憶部）２３５を機能的に備える。
【００５０】
ＳＶ動画情報記憶部２３１は、センサ装置ＳＵから受信した在宅医療動画を、センサ装置ＳＵと対応付けて記憶する。実施形態では、上述のように、在宅医療動画のファイルネームにセンサ装置ＳＵのセンサＩＤが組み込まれているので、ＳＶ動画情報記憶部２３１は、在宅医療動画をそのファイルネームと合わせて記憶することで、センサ装置ＳＵから受信した在宅医療動画を、センサ装置ＳＵと対応付けて記憶できる。
【００５１】
タグファイルＴＧ（図７）は、医療介護事務支援装置ＭＣで後述のように生成され、医療介護事務支援装置ＭＣから受信したデータである。ＳＶタグファイル記憶部２３２は、タグファイルＴＧを、タグを付す対象となった在宅医療動画に対応付けて記憶する。タグファイルＴＧのファイルネームは、適宜に設定されて良いが、実施形態では、例えば、タグを付す対象となった在宅医療動画のファイルネームの拡張子をタグの拡張子（例えばｔａｇ等）に変更することによって作成される。このため、ＳＶタグファイル記憶部２３２は、タグファイルＴＧをそのファイルネームと合わせて記憶することで、タグファイルＴＧを、タグを付す対象となった在宅医療動画に対応付けて記憶できる。
【００５２】
前記センサ情報は、センサ装置ＳＵに関する情報であり、実施形態では、センサ装置ＳＵのセンサＩＤと、その配設場所と、それによって撮像（撮影）されるサービス受益者Ｏｂの氏名とを互いに対応付けた情報である。ＳＶセンサ情報記憶部２３３は、前記センサ情報を予め記憶するものである。
【００５３】
電子カルテは、各サービス受益者Ｏｂの電子カルテである。図４は、電子カルテの一例を示す模式図である。この図では、個別の電子カルテ７１−１が示されている（Ｍｒ．××××）。電子カルテの総称を、以下、電子カルテ７１と記載する。電子カルテ７１の氏名欄７２には、サービス受益者Ｏｂの名前が入力される。例えば、サービス受益者Ｏｂ−１の場合、氏名欄７２には、サービス受益者Ｏｂ−１の名前（Ｍｒ．××××）が入力される。電子カルテ７１は、例えば、項目１から項目９を備えており、項目６が投薬の項目とする。項目６において、項目欄７３が「６．投薬」と表示され、記入欄７４に、投薬された薬の名称等が入力される。
【００５４】
電子レセプトは、各サービス受益者Ｏｂの電子レセプトである。図５は、電子レセプトの一例を示す模式図である。この図では、個別の電子レセプト７５−１（Ｍｒ．××××）が示されている。電子レセプトの総称を、以下、電子レセプト７５と記載する。電子レセプト７５の氏名欄７６には、サービス受益者Ｏｂの名前が入力される。電子レセプト７５の年月欄７７には、何年何月分の電子レセプト７５であるかを特定するための年月が入力される。例えば、２０１７年１月分の電子レセプト７５の場合、年月欄７７には、２０１７年１月が入力される。電子レセプト７５は、例えば、項目（１）から項目（１１）を備えており、項目（９）が投薬の項目とする。項目（９）において、項目欄７８が「（９）投薬」と表示され、記入欄７９に、投薬された薬の名称、保険点数等が入力される。図４と図５とを比較すれば分かるように、電子カルテ７１と電子レセプト７５とにおいて、項目は一致していない。
【００５５】
前記センサ情報によって、センサ装置ＳＵのセンサＩＤと、センサ装置ＳＵによって撮像（撮影）されるサービス受益者Ｏｂと、このサービス受益者Ｏｂの電子カルテ７１、電子レセプト７５とは、互いに対応付けられている。センサＩＤは、センサ装置ＳＵの識別子である。このため、本明細書では、「センサ装置ＳＵに対応付ける」とは、「サービス受益者Ｏｂに対応付ける」と同義であって、さらに、「センサＩＤに対応付ける」と同義である。
【００５６】
図３を参照して、ＳＶ制御処理部２２は、サーバ装置ＳＶの各部を当該各部の機能に応じてそれぞれ制御する。ＳＶ制御処理部２２は、例えば、ＣＰＵおよびその周辺回路を備えて構成される。ＳＶ制御処理部２２は、サーバ側制御部（ＳＶ制御部）２２１、サーバ側動画処理部（ＳＶ動画処理部）２２２およびサーバ側カルテ・レセプト処理部（ＳＶカルテ・レセプト処理部）２２３を機能的に備える。
【００５７】
ＳＶ制御部２２１は、サーバ装置ＳＶの各部を当該各部の機能に応じてそれぞれ制御し、サーバ装置ＳＶの全体制御を司るものである。
【００５８】
ＳＶ動画処理部２２２は、センサ装置ＳＶから在宅医療動画（在宅医療動画データ）を受信した場合に、受信した在宅医療動画をセンサ装置ＳＵ（センサＩＤ、サービス受益者Ｏｂ）に対応付けてＳＶ動画情報記憶部２３１に記憶する。ＳＶ動画処理部２２２は、医療介護事務支援装置ＭＣからタグファイルＴＧを受信した場合に、受信したタグファイルＴＧを、タグを付す対象となった在宅医療動画に対応付けてＳＶタグファイル記憶部２３２に記憶する。ＳＶ動画処理部２２２は、医療介護事務支援装置ＭＣから、センサ装置ＳＶ（センサＩＤ、サービス受益者Ｏｂ）を指定して在宅医療動画の要求を受信した場合に、指定されたセンサ装置ＳＵ（センサＩＤ、サービス受益者Ｏｂ）に対応する在宅医療動画をセンサ装置ＳＵ（センサＩＤ、サービス受益者Ｏｂ）と対応付けて医療介護事務支援装置ＭＣへ返信する。
【００５９】
ＳＶカルテ・レセプト処理部２２３は、サーバ装置ＳＶとは別の装置で作成され、サーバ装置ＳＶへ送られてきた電子カルテ７１をＳＶカルテ記憶部２３４に記憶させ、別の装置で作成され、サーバ装置ＳＶへ送られてきた電子レセプト７５をＳＶレセプト記憶部２３５に記憶させる。別の装置には、医療介護事務支援装置ＭＣが含まれる。ＳＶカルテ・レセプト処理部２２３は、医療介護事務支援装置ＭＣから、サービス受益者Ｏｂの氏名（サービス受益者ＯｂのＩＤ）を指定して、電子カルテ７１の要求を受信した場合に、指定されたサービス受益者Ｏｂの電子カルテ７１を医療介護事務支援装置ＭＣへ返信する。電子レセプト７５の場合も同様である。
【００６０】
このようなサーバ装置ＳＶは、例えば、通信機能付きのコンピュータによって構成可能である。サーバ装置ＳＶは、例えば、この医療介護事務支援システムＭＣＳを管理する管理者の建屋に配置される。
【００６１】
医療介護事務支援装置ＭＣについて詳しく説明する。図６は、図１に示す医療介護事務支援システムＭＣＳに備えられる医療介護事務支援装置ＭＣの構成を示すブロック図である。医療介護事務支援装置ＭＣは、ネットワークＮＷを介して他の装置ＳＵ，ＳＶ，ＴＡと通信する通信機能等を備え、医療介護事務（例えば、電子カルテ７１の作成とチェック、電子レセプト７５の作成とチェック）を支援する装置である。医療介護事務支援装置ＭＣは、医療介護事務支援側通信インターフェース部（ＭＣ通信ＩＦ部）３１と、医療介護事務支援側制御処理部（ＭＣ制御処理部）３２と、医療介護事務支援側入力部（ＭＣ入力部）３３と、医療介護事務支援側表示部（ＭＣ表示部）３４と、医療介護事務支援側インターフェース部（ＭＣＩＦ部）１５と、医療介護事務支援側記憶部（ＭＣ記憶部）３６と、を備える。
【００６２】
ＭＣ通信ＩＦ部３１は、ＳＵ通信ＩＦ部１３と同様に、ＭＣ制御処理部３２に接続され、ＭＣ制御処理部３２の制御に従って通信を行うための通信回路であり、例えばデータ通信カード等である。
【００６３】
ＭＣ入力部３３（入力部）は、ＭＣ制御処理部３２に接続され、所定の操作（例えば、前記部分動画にタグ付けをする操作）を受け付け、医療介護事務支援装置ＭＣに入力する回路であり、例えば、キーボードやマウス等である。
【００６４】
ＭＣ表示部３４は、ＭＣ制御処理部３２に接続され、ＭＣ制御処理部３２の制御に従って、在宅医療動画、電子カルテ７１、電子レセプト７５、ＭＣ入力部３３から入力された所定の操作内容等を表示する回路であり、例えばＬＣＤ（液晶ディスプレイ）、有機ＥＬディスプレイ等の表示装置である。なお、ＭＣ入力部３３およびＭＣ表示部３４からタッチパネルが構成されても良い。この場合、ＭＣ入力部３３は、例えば抵抗膜方式や静電容量方式等の操作位置を検出して入力する位置入力デバイスである。このタッチパネルでは、ＭＣ表示部３４の表示面上に位置入力デバイスが設けられ、ＭＣ表示部３４に入力可能な１または複数の入力内容の候補が表示され、例えば、電子レセプト７５の作成を担当するユーザが、入力したい入力内容を表示した表示位置（表示領域）を触れると、位置入力デバイスによってその位置（領域）が検出され、検出された位置に表示された表示内容がユーザの操作入力内容として医療介護事務支援装置ＭＣに入力される。
【００６５】
ＭＣＩＦ部３５は、ＭＣ制御処理部３２に接続され、ＭＣ制御処理部３２の制御に従って、外部機器との間でデータの入出力を行う回路であり、例えば、Ｂｌｕｅｔｏｏｔｈ規格を用いたインターフェース回路、ＩｒＤＡ規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００６６】
ＭＣ記憶部３６は、ＭＣ制御処理部３２に接続され、ＭＣ制御処理部３２の制御に従って、各種の所定のプログラムおよび各種の所定のデータを記憶する回路である。前記各種の所定のプログラムには、例えば、ＭＣ入力部３３から指定された在宅医療動画をサーバ装置ＳＶに要求し、在宅医療動画をサーバ装置ＳＶから取得してＭＣ記憶部３６に記憶するＭＣ動画処理プログラムや、タグファイルＴＧを作成し、作成したタグファイルＴＧを在宅医療動画に対応付けてＭＣ記憶部３６に記憶するタグ付け処理プログラム等の制御処理プログラムが含まれる。前記各種の所定のデータには、在宅医療動画、タグファイルＴＧ、前記センサ情報、電子カルテ７１、電子レセプト７５等が含まれる。ＭＣ記憶部３６は、例えばＲＯＭ、ＥＥＰＲＯＭおよびＲＡＭ等を備える。そして、ＭＣ記憶部３６は、在宅医療動画を記憶する医療介護事務支援側動画情報記憶部（ＭＣ動画情報記憶部）３６１、タグファイルＴＧを記憶する医療介護事務支援側タグファイル記憶部（ＭＣタグファイル記憶部）３６２、前記センサ情報を記憶する医療介護事務支援側センサ情報記憶部（ＭＣセンサ情報記憶部）３６４、電子カルテ７１を記憶する医療介護事務支援側カルテ記憶部（ＭＣカルテ記憶部）３６５、および、電子レセプト７５を記憶する医療介護事務支援側レセプト記憶部（ＭＣレセプト記憶部）３６６を機能的に備える。
【００６７】
ＭＣ動画情報記憶部３６１は、センサ装置ＳＵからサーバ装置ＳＶを介して受信した在宅医療動画を、前記センサ装置ＳＵ（センサＩＤ、サービス受益者Ｏｂ）と対応付けて記憶する。実施形態では、上述のように、在宅医療動画のファイルネームにセンサ装置ＳＵのセンサＩＤが組み込まれているので、ＭＣ動画情報記憶部３６１は、在宅医療動画をそのファイルネームと合わせて記憶することで、在宅医療動画を、センサ装置ＳＵ（センサＩＤ、サービス受益者Ｏｂ）と対応付けて記憶できる。
【００６８】
タグファイルＴＧ（図７）は、部分動画に付けられたタグを格納したファイルである。部分動画は、上述したように、在宅医療動画のうち、所定行為がされている時間帯の部分である。図７は、タグファイルＴＧ−１の一例を説明する説明図である。この図では、個別のタグファイルＴＧ−１が示されている。タグファイルＴＧは、タグファイルの総称である。図７において、所定行為の時間帯として、問診、聴診、注射が、それぞれされている時間帯が示されている。問診の時間帯の部分動画、聴診の時間帯の部分動画、注射の時間帯の部分動画に、それぞれタグ付けがされている。部分動画は、所定行為の時間帯によって特定されるので（例えば、「００：０３：１５〜００：０７：５６」の時間帯の部分動画は、問診がされている時間帯の部分動画である）、所定行為の時間帯はタグとして機能する。タグファイルＴＧは、タグ付けされた部分動画の時間帯を示す時間帯フィールド４１と、タグ付けされた部分動画に対応付けられた記入事項を登録する記入事項フィールド４２と、電子カルテ・電子レセプトの項目を登録するカルテ・レセプト項目フィールド４３と、を備える。
【００６９】
記入事項フィールド４２は、複数の記入事項を登録できるように、複数のサブ記入事項フィールドを備える。図７に示す例では、３個の記入事項を登録できるように、記入事項フィールド４２は、第１記入事項を登録する第１サブ記入事項フィールド４２１と、第２記入事項を登録する第２サブ記入事項フィールド４２２と、第３記入事項を登録する第３サブ記入事項フィールド４２３とを備える。第１サブ記入事項フィールド４２１に登録される第１記入事項は、所定行為の名称（例えば、問診、聴診、注射）である。第２サブ記入事項フィールド４２２に登録される第２記入事項は、所定行為が保険の適用を受けることを示す「保険内」、および、所定行為が保険の適用を受けないことを示す「保険外」である。第３サブ記入事項フィールド４２３に登録される第３記入事項は、例えば、サービス提供者ＮＳの氏名である。
【００７０】
カルテ・レセプト項目フィールド４３には、図４に示す電子カルテ７１に含まれる項目１から項目９のうち、タグ付けされた部分動画と紐づけられた項目、および、図５に示す電子レセプト７５に含まれる項目（１）から項目（１１）のうち、タグ付けされた部分動画と紐づけられた項目が登録される。
【００７１】
タグファイルＴＧは、紐付け情報を含む。紐付け情報は、タグ付けされた部分動画と、電子カルテ７１および電子レセプト７５の項目（関係箇所）と、を紐付ける情報である。時間帯フィールド４１に登録された情報と、カルテ・レセプト項目フィールド４３に登録された情報と、で紐付け情報が構成される。タグファイルＴＧは、図３に示すＳＶタグファイル記憶部２３２および図６に示すＭＣタグファイル記憶部３６２に記憶されるので、これらの記憶部が、タグファイルを予め記憶する記憶部となる。
【００７２】
図６を参照して、ＭＣタグファイル記憶部３６２は、タグファイルＴＧを、タグを付す対象となった在宅医療動画に対応付けて記憶する。実施形態では、上述のように、タグファイルＴＧのファイルネームが在宅医療動画のファイルネームの拡張子をタグの拡張子（例えばｔａｇ等）に変更することによって作成されるので、ＭＣタグファイル記憶部３６２は、タグファイルＴＧをそのファイルネームと合わせて記憶することで、タグファイルＴＧを、タグを付す対象となった在宅医療動画に対応付けて記憶できる。
【００７３】
前記センサ情報は、センサ装置ＳＵに関する情報であり、上述したように、センサ装置ＳＵのセンサＩＤと、その配設場所と、それによって撮像されるサービス受益者Ｏｂの氏名とを互いに対応付けた情報である。ＭＣセンサ情報記憶部３６４は、前記センサ情報を予め記憶する。
【００７４】
ＭＣカルテ記憶部３６５は、サーバ装置ＳＶから送信されてきた電子カルテ７１を記憶する。ＭＣレセプト記憶部３６６は、サーバ装置ＳＶから送信されてきた電子レセプト７５を記憶する。電子カルテ７１および電子レセプト７５には、サービス受益者Ｏｂの氏名（サービス受益者ＯｂのＩＤ）が含まれる。従って、前記センサ情報によって、在宅医療動画と、タグファイルＴＧと、電子カルテ７１と、電子レセプト７５とが紐付けられる。図１に示すセンサ装置ＳＵ−１を例にして説明すると、センサ装置ＳＵ−１のセンサＩＤは、「ＳＵ１」であり、センサ装置ＳＵ−１によって撮影された在宅医療動画のファイルネームには、「ＳＵ１」が含まれ、この在宅医療動画に対応付けられたタグファイルＴＧのファイルネームには、「ＳＵ１」が含まれ（図７）、サービス受益者Ｏｂ−１の氏名は、前記センサ情報によってセンサＩＤ「ＳＵ１」と対応付けられている。
【００７５】
ＭＣ制御処理部３２は、医療介護事務支援装置ＭＣの各部を当該各部の機能に応じてそれぞれ制御する。ＭＣ制御処理部３２は、例えば、ＣＰＵおよびその周辺回路を備えて構成される。ＭＣ制御処理部３２は、医療介護事務支援側制御部（ＭＣ制御部）３２１、医療介護事務支援側動画処理部（ＭＣ動画処理部）３２２、タグ付け処理部３２３、再生制御部３２４、医療介護事務支援側時計計時部（ＭＣ時計計時部）３２５、および、医療介護事務支援側カルテ・レセプト処理部（ＭＣカルテ・レセプト処理部）３２６を機能的に備える。
【００７６】
ＭＣ制御部３２１は、医療介護事務支援装置ＭＣの各部を当該各部の機能に応じてそれぞれ制御し、医療介護事務支援装置ＭＣの全体制御を司るものである。
【００７７】
ＭＣ動画処理部３２２は、サーバ装置ＳＶから送信されてきた在宅医療動画をＭＣ動画情報記憶部３６１に記憶する。
【００７８】
タグ付け処理部３２３は、タグ付けの対象となる在宅医療動画にタグ付けする処理をする。
【００７９】
再生制御部３２４は、ＭＣ動画処理部３２２によってサーバ装置ＳＶから取得された在宅医療動画をＭＣ表示部３４で再生する。ユーザが、在宅医療動画にタグ付けをする場合、電子カルテ７１をチェックする場合、電子レセプト７５をチェックする場合に、在宅医療動画が再生される。再生制御部３２４は、在宅医療動画をＭＣ表示部３４で再生する際に、在宅医療動画の先頭からの経過時間を計時させる指示をＭＣ時計計時部３２５へ通知する。再生制御部３２４は、在宅医療動画を再生する場合に、ＭＣタグファイル記憶部３６２に記憶され、再生する在宅医療動画に対応付けられたタグファイルＴＧに基づいて、ＭＣ表示部３４で在宅医療動画を再生する。
【００８０】
ＭＣ時計計時部３２５は、年月日時分を計時し、再生制御部３２４の指示に従って在宅医療動画の先頭からの経過時間を計時する。
【００８１】
ＭＣカルテ・レセプト処理部３２６（表示制御部）は、ユーザが電子カルテ７１をチェックするとき、電子カルテ７１に含まれる項目（例えば、図４に示す項目１から項目９）のうち、タグ付けされた部分動画と関係する項目を、他の項目と区別して、ＭＣ表示部３４に表示し、また、ユーザが電子レセプト７５をチェックするとき、電子レセプト７５に含まれる項目のうち（例えば、図５に示す項目（１）から項目（１１））、タグ付けされた部分動画と関係する項目を、他の項目と区別して、ＭＣ表示部３４に表示する。
【００８２】
このような医療介護事務支援装置ＭＣは、例えば、通信機能付きのコンピュータによって構成可能である。医療介護事務支援装置ＭＣは、例えば、サービス提供者ＮＳの建屋に配置される。
【００８３】
図１に示す携帯端末装置ＴＡは、ネットワークＮＷを介して他の装置ＳＶ，ＭＣ，ＳＵと通信する通信機能、所定の情報を表示する表示機能、所定の指示やデータを入力する入力機能、および、音声通話を行う通話機能等を備える装置である。携帯端末装置ＴＡは、サービス提供者ＮＳによって持ち運びされる。図１には、サービス提供者ＮＳ−１によって持ち運びされる携帯端末装置ＴＡ−１と、サービス提供者ＮＳ−２によって持ち運びされる携帯端末装置ＴＡ−２とが図示されている。
【００８４】
このような携帯端末装置ＴＡは、例えば、いわゆるタブレット型コンピュータやスマートフォンや携帯電話機等の、持ち運び可能な通信端末装置によって構成可能である。
【００８５】
次に、タグ付けに関する、医療介護事務支援システムＭＣＳの動作について説明する。図８は、この動作を説明するフローチャートである。ユーザが、医療介護事務支援装置ＭＣを用いて、電子カルテ７１又は電子レセプト７５を作成するときに、タグ付けがされる。サービス受益者Ｏｂ−１（図１）の２０１７年１月分の電子レセプト７５−１（図５）が作成される場合を例にする。
【００８６】
図６および図８を参照して、ユーザが、ＭＣ入力部３３を操作して、電子レセプト７５のテンプレートを表示させる命令を入力する。電子レセプト７５のテンプレートは、ＭＣレセプト記憶部３６６に予め記憶されている。ＭＣカルテ・レセプト処理部３２６は、ＭＣレセプト記憶部３６６から電子レセプト７５のテンプレートを読み出し、ＭＣ表示部３４に表示する。電子レセプト７５のテンプレートは、例えば、未入力の電子レセプト７５である。ユーザは、ＭＣ入力部３３を操作して、電子レセプト７５のテンプレートの氏名欄７６、年月欄７７（図５）に、サービス受益者Ｏｂ−１の氏名「Ｍｒ．××××」、「２０１７年１月」を入力する（Ｓ１）。
【００８７】
ユーザは、ＭＣ入力部３３を操作して、タグ付けをする命令を入力する。タグ付け処理部３２３は、ＭＣ記憶部３６に予め記憶されているタグ付け画面を読み出し、ＭＣ表示部３４に電子レセプト７５のテンプレートと一緒に表示する（Ｓ２）。これにより、ＭＣ表示部３４には、電子レセプト７５のテンプレートとタグ付け画面とが並べて、または、重ねて表示される。
【００８８】
図９は、タグ付け画面ＴＰの一例を示す模式図である。タグ付け画面ＴＰは、部分動画にタグを付けるための画面である。タグ付け画面ＴＰは、再生動画表示領域５１と、再生制御指示入力領域５２と、サービス受益者名入力表示領域５３と、「取得」ボタン５４と、記入事項入力表示領域５５と、「始点」ボタン５６と、「終点」ボタン５７と、「確定」ボタン５８と、タグ情報表示領域５９と、「終了」ボタン６０と、を備える。
【００８９】
再生動画表示領域５１は、タグを付ける対象となる在宅医療動画を再生して表示する領域である。ここでは、サービス受益者Ｏｂ−１について、２０１７年１月の電子レセプト７５−１を作成するのに必要となる在宅医療動画である。すなわち、２０１７年１月に撮影されたサービス受益者Ｏｂ−１の在宅医療動画である。
【００９０】
再生制御指示入力領域５２は、再生動画表示領域５１に表示される在宅医療動画の再生動作（表示動作）を制御する指示を受け付けるための領域である。再生制御指示入力領域５２は、「再生」ボタン５２１と、「停止」ボタン５２２と、「早送り」ボタン５２３と、「早戻し」ボタン５２４と、を備える。
【００９１】
「再生」ボタン５２１は、再生動画表示領域５１に表示される在宅医療動画に対する再生の指示を受け付けるボタンである。「停止」ボタン５２２は、再生動画表示領域５１に表示される在宅医療動画の再生を停止する指示を受け付けるボタンである。「早送り」ボタン５２３は、再生動画表示領域５１に表示される在宅医療動画の再生速度を速める指示を受け付けるボタンである。早戻しボタン５２４は、再生動画表示領域５１に表示される在宅医療動画の戻し再生速度（逆再生の再生速度）を速める指示を受け付けるボタンである。
【００９２】
サービス受益者名入力表示領域５３は、電子レセプト７５が作成されるサービス受益者Ｏｂの氏名の入力を受け付ける領域である。ここでは、サービス受益者Ｏｂ−１の氏名「Ｍｒ．××××」が入力されている。サービス受益者Ｏｂの氏名の替わりに、サービス受益者ＯｂのＩＤでもよい。
【００９３】
「取得」ボタン５４は、処理Ｓ１で入力されたサービス受益者Ｏｂの氏名、および、年月を指定条件として、この指定条件を満たす在宅医療動画をサーバ装置ＳＶから取得する指示を受け付けるボタンである。指定条件は、在宅医療動画を特定するために用いられる。ここでは、指定条件を満たす在宅医療動画は、サービス受益者Ｏｂ−１の２０１７年１月に撮影された在宅医療動画である。
【００９４】
記入事項入力表示領域５５等は、後で説明する。図６、図８および図９を参照して、ユーザは、ＭＣ入力部３３を操作して、「取得」ボタン５４をクリックする。これにより、ＭＣ動画処理部３２２は、ＭＣ通信ＩＦ部３１を用いて、在宅医療動画を要求する通信信号をサーバ装置ＳＶへ送信する。より具体的には、ＭＣ動画処理部３２２は、ＭＣセンサ情報記憶部３６４に記憶されたセンサ情報に基づいて、処理Ｓ１で入力されたサービス受益者Ｏｂ（ここでは、サービス受益者Ｏｂ−１）の氏名に対応するセンサＩＤを求め、この求めたセンサＩＤ、および、処理Ｓ１で入力された年月を含む指定条件、および、この指定条件を満たす在宅医療動画を要求する指示（命令、コマンド）を収容する通信信号（動画要求通信信号）をサーバ装置ＳＶ宛に生成し、この生成した動画要求通信信号をＭＣ通信ＩＦ部３１でネットワークＮＷへ送信する（Ｓ３）。
【００９５】
図３を参照して、サーバ装置ＳＶは、動画要求通信信号を受信すると、動画通知通信信号を医療介護事務支援装置ＭＣへ返信する。より具体的には、ＳＶ動画処理部２２２は、医療介護事務支援装置ＭＣから、センサ装置ＳＶ（センサＩＤ、サービス受益者Ｏｂ）を指定して在宅医療動画の要求を受信した場合に、前記指定条件を満たす在宅医療動画、および、前記指定条件に含まれるセンサＩＤに対応するサービス受益者Ｏｂの電子カルテ７１を、センサ装置ＳＵ（センサＩＤ、サービス受益者Ｏｂ）と対応付けて医療介護事務支援装置ＭＣへ返信する。ここでは、サービス受益者Ｏｂ−１の２０１７年１月に撮影された在宅医療動画、および、サービス受益者Ｏｂ−１の電子カルテ７１−１が返信される。なお、動画要求通信信号に収容された指定条件を満たす在宅医療動画が複数存在する場合には、サーバ装置ＳＶは、前記指定条件を満たす複数の在宅医療動画を動画通知通信信号で医療介護事務支援装置ＭＣへ返信する。
【００９６】
図６、図８および図９を参照して、医療介護事務支援装置ＭＣは、前記動画通知通信信号を受信し（Ｓ４）、前記動画通知通信信号に含まれる在宅医療動画の記憶および再生等をする（Ｓ５）。詳しく説明すると、ＭＣカルテ・レセプト処理部３２６は、前記動画通知通信信号に収容されている電子カルテ７１−１を、ＭＣカルテ記憶部３６５に記憶させ、ＭＣカルテ記憶部３６５に記憶された電子カルテ７１−１を読み出してＭＣ表示部３４に表示させる。これにより、ＭＣ表示部３４には、電子カルテ７１−１、タグ付け画面ＴＰ、および、電子レセプト７５のテンプレートが一緒に表示される。これらは並べて表示されてもよいし、または、重ねて表示されてもよい。
【００９７】
また、ＭＣ動画処理部３２２は、前記動画通知通信信号に収容されている在宅医療動画およびそのファイルネームをＭＣ動画情報記憶部３６１に記憶する。再生制御部３２４は、タグ付け画面ＴＰの再生動画表示領域５１に在宅医療動画を再生して表示する。ＭＣ時計計時部３２５は、経過時間を計時する。
【００９８】
ユーザは、再生動画表示領域５１で再生されている在宅医療動画を見て、タグ付けする部分動画を特定する（Ｓ６）。詳しく説明すると、「始点」ボタン５６は、再生動画表示領域５１で再生されている在宅医療動画において、所定行為が開始したとき、所定行為の開始を示す指示を受け付けるボタンである。「終点」ボタン５７は、再生動画表示領域５１で再生されている在宅医療動画において、所定行為が終了したとき、所定行為の終了を示す指示を受け付けるボタンである。サービス受益者Ｏｂ−１の在宅医療動画において、所定行為（ここでは、問診とする）が開始したとき、ユーザは、ＭＣ入力部３３を操作して、「始点」ボタン５６をクリックし、その所定行為（問診）が終了したとき、ユーザは、ＭＣ入力部３３を操作して、「終点」ボタン５７をクリックする。これにより、ＭＣカルテ・レセプト処理部３２６は、サービス受益者Ｏｂ−１の在宅医療動画において、その所定行為（問診）の時間帯を特定する。すなわち、タグ付けされる部分動画が特定される。なお、所定行為が開始されたとき、「始点」ボタン５６がクリックされると説明したが、所定行為の開始と、「始点」ボタン５６のクリックとは、厳密に一致している必要はない。例えば、所定行為の開始から少し遅れて、「始点」ボタン５６がクリックされてもよい。「終点」ボタン５７についても同様である。
【００９９】
ＭＣカルテ・レセプト処理部３２６がタグ付けする部分動画を特定したとき、再生制御部３２４は、再生動画表示領域５１で再生されている在宅医療動画を一時停止する。ユーザは、ＭＣ入力部３３を操作して、記入事項入力表示領域５５に所定の入力をする（Ｓ７）。詳しく説明すると、記入事項入力表示領域５５は、タグに対応付けるための１または複数の事項（記入事項）の入力を受け付ける領域である。実施形態では、３個の第１ないし第３記入事項の入力を受け付けられるように、記入事項入力表示領域５５は、第１記入事項の入力を受け付ける第１記入事項入力表示領域５５１と、第２記入事項の入力を受け付ける第２記入事項入力表示領域５５２と、第３記入事項の入力を受け付ける第３記入事項入力表示領域５５３と、を備える。第１記入事項入力表示領域５５１には、図７に示す第１サブ記入事項フィールド４２１に登録される第１記入事項が入力される。第２記入事項入力表示領域５５２には、第２サブ記入事項フィールド４２２に登録される第２記入事項が入力される。第３記入事項入力表示領域５５３には、第３サブ記入事項フィールド４２３に登録される第３記入事項が入力される。
【０１００】
ここでは、ユーザは、ＭＣ入力部３３を操作して、第１記入事項入力表示領域５５１に「問診」を入力し、第２記入事項入力表示領域５５２に「保険内」を入力する。ＭＣ表示部３４には、タグ付け画面ＴＰと一緒に、電子レセプト７５のテンプレートが表示されており、ユーザは、ＭＣ入力部３３を操作して、このテンプレートに含まれる「問診」の項目の記入欄に必要記載事項を入力する。
【０１０１】
そして、ユーザは、ＭＣ入力部３３を操作して、「確定」ボタン５８をクリックする。これにより、ＭＣカルテ・レセプト処理部３２６は、「始点」ボタン５６と「終点」ボタン５７とで特定された時間帯（すなわち、処理Ｓ６において、タグ付けされた部分動画）を確定し、処理Ｓ７において、記入事項入力表示領域５５に入力された記入事項を確定し、これらの確定した時間帯および記入事項をタグ情報表示領域５９に表示する。
【０１０２】
タグ情報表示領域５９は、タグ付けされた部分動画の時間帯を示す時間帯フィールド５９１と、タグ付けされた部分動画に対応付けて、入力された記入事項を表示する記入事項フィールド５９２と、を備える。記入事項フィールド５９２は、第１記入事項を表示する第１サブ記入事項フィールド５９２１と、第２記入事項を表示する第２サブ記入事項フィールド５９２２と、第３記入事項を表示する第３サブ記入事項フィールド５９２３と、を備える。ここでは、時間帯フィールド５９１の１番目の箇所に、「００：０３：１５〜００：０７：５６」が表示され、第１サブ記入事項フィールド５９２１の１番上の箇所に、「問診」が表示され、第２サブ記入事項フィールド５９２２の１番上の箇所に、「保険内」が表示される。
【０１０３】
タグ付けされた部分動画の数が多いと、時間帯フィールド５９１に全ての時間帯を表示できず、記入事項フィールド５９２に全ての記入事項を表示できない。この場合、表示タグ情報表示領域５９は、さらに、垂直スクロールバー（不図示）と、垂直スクロールバーを上へ移動する指示の入力を受け付ける上スクロールボタン（不図示）と、垂直スクロールバーを下へ移動する指示の入力を受け付ける下スクロールボタン（不図示）と、を備える（不図示）。
【０１０４】
ユーザは、医療介護事務支援装置ＭＣを用いて、電子レセプト７５の項目と、電子カルテ７１の項目と、タグ付けされた部分動画と、を紐づける（Ｓ８）。以下、詳しく説明する。ここでは、タグ付けされた部分動画は、問診の時間帯の部分動画であるので、問診の時間帯の部分動画と、電子レセプト７５のテンプレート（すなわち、完成後の電子レセプト７５−１）の問診の項目と、電子カルテ７１−１の問診の項目と、が紐づけられる。図１０は、電子カルテ７１の項目と、電子レセプト７５の項目と、タグ付けされた部分動画との紐づけに用いられるメニューを説明する説明図である。メニューは、第１メニュー５１１と、第２メニュー５１２と、第３メニュー５１３と、を備える。第１メニュー５１１は、「電子レセプト」を示す文字、及び「電子カルテ」を示す文字を含むメニューである。第２メニュー５１２は、図５に示す電子レセプト７５に含まれる項目（１）から項目（１１）のそれぞれの項目欄７８（例えば、（９）投薬）を含むメニューである。第３メニュー５１３は、図４に示す電子カルテ７１に含まれる項目１から項目９のそれぞれの項目欄７３（例えば、６．投薬）を含むメニューである。
【０１０５】
ユーザは、ＭＣ入力部３３を操作して、再生動画表示領域５１で一時停止されている在宅医療動画の画面を右クリックする。ＭＣカルテ・レセプト処理部３２６は、一次停止されている在宅医療動画の画面に重ねて、第１メニュー５１１を表示させる。ユーザは、ＭＣ入力部３３を操作して、第１メニュー５１１に含まれる「電子レセプト」を示す文字を選択すると、ＭＣカルテ・レセプト処理部３２６は、一次停止されている在宅医療動画の画面に重ねて、第２メニュー５１２を表示させる（第３メニュー５１３は表示されない）。ユーザは、ＭＣ入力部３３を操作して、問診の項目欄（例えば、（５）問診）を選択する。これにより、ＭＣカルテ・レセプト処理部３２６は、電子レセプト７５のテンプレート（完成後の電子レセプト７５−１）の問診の項目（項目（５））と、問診の時間帯の部分画像と、を紐付けする。
【０１０６】
続けて、ユーザは、ＭＣ入力部３３を操作して、第１メニュー５１１に含まれる「電子カルテ」を示す文字を選択すると、ＭＣカルテ・レセプト処理部３２６は、一次停止されている在宅医療動画の画面に重ねて、第３メニュー５１３を表示させる（第２メニュー５１２は表示されない）。ユーザは、ＭＣ入力部３３を操作して、問診の項目欄（例えば、４．問診）を選択する。これにより、ＭＣカルテ・レセプト処理部３２６は、電子カルテ７１−１の問診の項目（項目４）と、問診の時間帯の部分画像と、を紐付けする。
【０１０７】
ＭＣカルテ・レセプト処理部３２６は、このようにして、電子レセプト７５の項目と、電子カルテ７１の項目と、タグ付けされた部分動画と、を紐づけ、この紐づけを示す紐づけ情報を、ＭＣ記憶部３６に一時的に記憶する。紐づけ情報は、例えば、問診の時間帯と問診の項目（項目（５）、項目４）とを含む。
【０１０８】
なお、ユーザは、医療介護事務支援装置ＭＣを用いて電子カルテ７１を作成するときに、電子レセプト７５の場合と同様にして、在宅医療動画にタグ付けをすることができる。この段階では、電子レセプト７５がまだ作成されていないので、電子レセプト７５の項目は、紐づけされていない。ユーザは、在宅医療動画を見ないで、電子カルテ７１を見ながら、電子レセプト７５を作成することがある。この場合に、ユーザは、ＭＣ入力部３３を操作して、電子レセプト７５のテンプレートの項目のうち入力された項目（例えば、問診の項目）と、電子カルテ７１の項目のうち前記入力された項目と対応する項目（問診の項目）と、を紐づける命令を入力することができる。この命令が入力されると、ＭＣカルテ・レセプト処理部３２６は、これらの項目を、紐づけた情報を生成し、ＭＣ記憶部３６に記憶させる。これにより、電子カルテ７１の項目を介して、タグ付けされた部分動画と、電子レセプト７５の項目とを紐づけることができる。
【０１０９】
図６、図８および図９を参照して、紐付けの終了後、ユーザは、ＭＣ入力部３３を操作して、「再生」ボタン５２１を操作する。これにより、再生制御部３２４は、再生動画表示領域５１で一時停止されている在宅医療動画の再生を再開する。ユーザは、再生されている在宅医療動画を見て、タグ付けすべき部分動画あるか否かを判断する（Ｓ９）。
【０１１０】
タグ付けすべき部分動画あると判断されたとき（Ｓ９でＹｅｓ）、医療介護事務支援装置ＭＣは、処理Ｓ６に戻る。ここでは、聴診の時間帯の部分動画、注射の時間帯の部分動画にタグ付けされたとする。これにより、図１１に示すタグ付け画面ＴＰとなる。図１１に示すタグ付け画面ＴＰが、図９に示すタグ付け画面ＴＰと異なるは、次の点である。タグ情報表示領域５９に、「００：０３：１５〜００：０７：５６」およびこの時間帯に関連する記入事項（「問診」、「保険内」）、「００：０９：１０〜００：１０：４８」およびこの時間帯に関連する記入事項（「聴診」、「保険内」）、「００：１３：２６〜００：１５：３６」およびこの時間帯に関連する記入事項（「注射」、「保険内」）が表示されている。
【０１１１】
図６、図８および図１１を参照して、タグ付けすべき部分動画がないと判断されたとき（Ｓ９でＮｏ）、ユーザは、ＭＣ入力部３３を操作して、「終了」ボタン６０をクリックする。タグ付けすべき部分動画がない判断をするのは、在宅医療動画が最後まで再生された段階でもよいし、これよりも前でもよい。「終了」ボタン６０は、タグ付け画面ＴＰの表示を終了する指示を受け付けるボタンである。
【０１１２】
「終了」ボタン６０がクリックされたとき、タグ付け処理部３２３は、再生動画表示領域５１で再生された在宅医療動画のファイルネームからタグファイルＴＧのファイルネームを生成し、タグ付け画面ＴＰのタグ情報表示領域５９に表示されているタグ（時間帯）、記入事項、および、処理８でＭＣ記憶部３６に一時的に記憶されている前記紐づけ情報に基づいて、タグファイルＴＧを生成し、タグファイルＴＧおよびこのタグファイルＴＧのファイルネームをＭＣタグファイル記憶部３６２に記憶する（Ｓ１０）。ここでは、図７に示すタグファイルＴＧ−１、および、ファイルネーム「ＳＵ１_００１１_２０１７０１２４」が生成され、記憶される。前記紐づけ情報は、問診の時間帯と問診の項目（電子カルテ７１の問診の項目４、電子レセプト７５の問診の項目（５））との紐づけを示す情報と、聴診の時間帯と聴診の項目（電子カルテ７１の聴診の項目３、電子レセプト７５の聴診の項目（８））との紐づけを示す情報と、注射の時間帯と注射の項目（電子カルテ７１の注射の項目２、電子レセプト７５の注射の項目（４））との紐づけを示す情報をと、を含む。
【０１１３】
タグ付け処理部３２３は、処理Ｓ１０で生成したタグファイルＴＧおよびそのファイルネームを収容する通信信号（タグ情報通知通信信号）を生成し、この生成したタグ情報通知通信信号を、ＭＣ通信ＩＦ部３１を用いてサーバ装置ＳＶへ送信し、本処理を終了する。これによってタグ情報通知通信信号が医療介護事務支援装置ＭＣからネットワークＮＷを介してサーバ装置ＳＶへ送信される。
【０１１４】
図３を参照して、サーバ装置ＳＶがタグ情報通知通信信号を受信すると、ＳＶ動画処理部２２２は、この受信したタグ情報通知通信信号に収容されたタグファイルＴＧおよびそのファイルネームを取り出し、この取り出したタグファイルＴＧをそのファイルネームと合わせてＳＶタグファイル記憶部２３２に記憶する。
【０１１５】
以上が、タグ付けに関する、医療介護事務支援システムＭＣＳの動作である。
【０１１６】
次に、電子カルテ７１および電子レセプト７５のチェックに関する、医療介護事務支援システムＭＣＳの第１動作を説明する。図１２は、この動作を説明するフローチャートである。サービス受益者Ｏｂ−１（図１）の２０１７年１月分の電子レセプト７５−１（図５）がチェックされる場合を例にする。
【０１１７】
図１３は、電子カルテ７１および電子レセプト７５のチェックに関する初期画面ＳＣ１の一例を示す模式図である。図６、図１２および図１３を参照して、ユーザ（例えば、医療事務者）は、ＭＣ入力部３３を操作して、電子カルテ７１および電子レセプト７５のチェックに関する初期画面を表示させる命令を入力する。これにより、ＭＣカルテ・レセプト処理部３２６は、初期画面ＳＣ１をＭＣ表示部３４に表示させる（Ｓ２１）。
【０１１８】
初期画面ＳＣ１は、氏名入力領域８１と、チェックボックス８２，８３，８４と、年月入力領域８５，８６と、「取得」ボタン８７と、を備える。医療介護事務支援装置ＭＣによれば、ユーザは、氏名入力領域８１に入力された氏名のサービス受益者Ｏｂについて、在宅医療動画、電子レセプト７５、電子カルテ７１のいずれか一つ、または、これらの組み合わせをチェックすることができる。
【０１１９】
ユーザは、初期画面ＳＣ１に必要事項を入力する（Ｓ２２）。詳しく説明すると、ユーザは、ＭＣ入力部３３を操作して、サービス受益者Ｏｂ−１の氏名「Ｍｒ．××××」を、氏名入力領域８１に入力する。ユーザは、サービス受益者Ｏｂ−１の在宅医療動画をチェックしたい場合、ＭＣ入力部３３を操作して、チェックボックス８２にチェックを入れ、そして、対象となる年月を、年月入力領域８５に入力する。ここでは、チェックボックス８２にチェックが入れられ、年月入力領域８５に２０１７年１月が入力される。
【０１２０】
ユーザは、サービス受益者Ｏｂ−１の電子レセプト７５−１をチェックしたい場合、ＭＣ入力部３３を操作して、チェックボックス８３にチェックを入れ、そして、対象となる年月を、年月入力領域８６に入力する。ここでは、チェックボックス８３にチェックが入れられ、年月入力領域８６に２０１７年１月が入力される。
【０１２１】
ユーザは、サービス受益者Ｏｂ−１の電子カルテ７１−１をチェックしたい場合、ＭＣ入力部３３を操作して、チェックボックス８４にチェックを入れる。ここでは、チェックボックス８４にチェックが入れられる。
【０１２２】
「取得」ボタン８７は、氏名入力領域８１に入力されたサービス受益者Ｏｂの氏名、チェックボックス８２〜８４のチェックの有無、および、年月入力領域８５，８６に入力された年月を指定条件として、この指定条件を満たすチェック関連情報をサーバ装置ＳＶから取得する指示を受け付けるボタンである。
【０１２３】
ユーザは、ＭＣ入力部３３を操作して、「取得」ボタン８７をクリックする。これにより、ＭＣカルテ・レセプト処理部３２６は、ＭＣ通信ＩＦ部３１を用いて、チェック関連情報を要求する第１要求通信信号をサーバ装置ＳＶへ送信する（Ｓ２２）。より具体的には、ＭＣカルテ・レセプト処理部３２６は、ＭＣセンサ情報記憶部３６４に記憶されたセンサ情報に基づいて、処理Ｓ２２で入力されたサービス受益者Ｏｂ−１の氏名に対応するセンサＩＤを求め、この求めたセンサＩＤ、および、処理Ｓ２２で入力された内容を含む指定条件、および、この指定条件を満たす在宅医療動画、電子カルテ７１、電子レセプト７５、および、タグファイルＴＧを要求する指示（命令、コマンド）を収容する第１要求通信信号をサーバ装置ＳＶ宛に生成し、この生成した第１要求通信信号をＭＣ通信ＩＦ部３１でネットワークＮＷへ送信する。
【０１２４】
図３を参照して、サーバ装置ＳＶは、第１要求通信信号を受信すると、チェック関連情報を通知する第１通知通信信号を医療介護事務支援装置ＭＣへ返信する。より具体的には、ＳＶ動画処理部２２２は、サーバ装置ＳＶが受信した第１要求通信信号に含まれる前記指定条件を満たすサービス受益者Ｏｂの在宅医療動画、電子カルテ７１、電子レセプト７５、および、タグファイルＴＧを、センサ装置ＳＵ（センサＩＤ、サービス受益者Ｏｂ）と対応付けて医療介護事務支援装置ＭＣへ返信する。ここでは、サービス受益者Ｏｂ−１の２０１７年１月に撮影された在宅医療動画、サービス受益者Ｏｂ−１の電子カルテ７１−１、サービス受益者Ｏｂ−１の２０１７年１月の電子レセプト７５−１、および、タグファイルＴＧ−１が返信される。なお、第１要求通信信号に収容された指定条件を満たす在宅医療動画が複数存在する場合には、サーバ装置ＳＶは、前記指定条件を満たす複数の在宅医療動画を第１通知通信信号で医療介護事務支援装置ＭＣへ返信する。
【０１２５】
図６および図１２を参照して、医療介護事務支援装置ＭＣは、第１通知通信信号を受信し（Ｓ２４）、第１通知通信信号に含まれる在宅医療動画、電子カルテ７１−１、および、電子レセプト７５−１の記憶および表示等をする（Ｓ２５）。詳しく説明すると、ＭＣ動画処理部３２２は、前記第１通知通信信号に収容されている在宅医療動画（２０１７年１月のサービス受益者Ｏｂ−１の在宅医療動画）およびそのファイルネームをＭＣ動画情報記憶部３６１に記憶する。再生制御部３２４は、ＭＣ動画情報記憶部３６１に記憶されているその在宅医療動画（２０１７年１月のサービス受益者Ｏｂ−１の在宅医療動画）を読み出して、図１４に示す在宅医療動画ウィンドウＷＤ１を生成し、ＭＣ表示部３４に表示させる。図１４は、在宅医療動画ウィンドウＷＤ１の一例を示す模式図である。在宅医療動画ウィンドウＷＤ１については、後で説明する。
【０１２６】
ＭＣカルテ・レセプト処理部３２６は、前記第１通知通信信号に収容されている電子カルテ７１−１をＭＣカルテ記憶部３６５に記憶する。ＭＣカルテ・レセプト処理部３２６は、ＭＣカルテ記憶部３６５に記憶されている電子カルテ７１−１を読み出して、図１５に示す電子カルテウィンドウＷＤ２を生成し、ＭＣ表示部３４に表示させる。図１５は、電子カルテウィンドウＷＤ２の一例を示す模式図である。電子カルテウィンドウＷＤ２については、後で説明する。
【０１２７】
ＭＣカルテ・レセプト処理部３２６は、前記第１通知通信信号に収容されている電子レセプト７５−１をＭＣレセプト記憶部３６６に記憶する。ＭＣカルテ・レセプト処理部３２６は、ＭＣレセプト記憶部３６６に記憶されている電子レセプト７５−１を読み出して、図１６に示す電子レセプトウィンドウＷＤ３を生成し、ＭＣ表示部３４に表示させる。図１６は、電子レセプトウィンドウＷＤ３の一例を示す模式図である。電子レセプトテウィンドウＷＤ３については、後で説明する。
【０１２８】
タグ付け処理部３２３は、前記第１通知通信信号に収容されているタグファイルＴＧ−１およびそのファイルネームをＭＣタグファイル記憶部３６２に記憶する。
【０１２９】
処理２５での処理の結果、ＭＣ表示部３４には、図１４に示す在宅医療動画ウィンドウＷＤ１、図１５に示す電子カルテウィンドウＷＤ２、および、図１６に示す電子レセプトウィンドウＷＤ３が一緒に表示される。これらのウィンドウは、並べて表示されてもよいし、または、重ねて表示されてもよい。
【０１３０】
図１４を参照して、在宅医療動画ウィンドウＷＤ１は、再生動画表示領域５１と、再生制御指示入力領域５２と、シークバー９１と、を備える。再生動画表示領域５１、および、再生制御指示入力領域５２については、図９ですでに説明している。シークバー９１は、再生動画表示領域５１で再生されている在宅医療動画の再生位置を示す。シークバー９１には、再生動画表示領域５１で再生されている在宅医療動画の撮影時間が示される（図１４では、１７分４２秒）。シークバー９１は、時間軸にそって配置される、１または複数のタグ情報表示領域９２を備える。図１４では、三つのタグ情報表示領域９２−１，９２−２，９２−３が示されている。
【０１３１】
タグ情報表示領域９２−１は、図示されていないが、「問診・保険内」の文字を表示している。タグ情報表示領域９２−２は、図示されていないが、「聴診」の文字を表示している。タグ情報表示領域９２−３は、図示されていないが、「注射・保険内」の文字を表示している。再生制御部３２４は、タグファイルＴＧ−１（図７）に含まれるタグ情報を用いて、タグ情報表示領域９２に、それらの文字を表示する。詳しく説明すると、タグファイルＴＧ−１によれば、再生動画表示領域５１で再生されている在宅医療動画のうち、「００：０３：１５〜００：０７：５６」の時間帯の部分動画のタグ情報は、「問診」および「保険内」である。再生制御部３２４は、シークバー９１の時間軸の「００：０３：１５〜００：０７：５６」に対応する位置に、タグ情報（「問診・保険内」）を表示するタグ情報表示領域９２−１を配置する。なお、タグファイルＴＧ−１に含まれるタグ情報のうち、カルテ・レセプト項目フィールド４３の情報は、後で説明する電子カルテウィンドウＷＤ２および電子レセプトウィンドウＷＤ３の表示に利用される。
【０１３２】
タグファイルＴＧ−１によれば、再生動画表示領域５１で再生されている在宅医療動画のうち、「００：０９：１０〜００：１０：４８」の時間帯の部分動画のタグ情報は、「聴診」および「保険内」である。再生制御部３２４は、シークバー９１の時間軸の「００：０９：１０〜００：１０：４８」に対応する位置に、タグ情報（「問診」）を表示するタグ情報表示領域９２−２を配置する。タグ情報表示領域９２−２に「保険内」が表示されていない。この理由は、「００：０９：１０〜００：１０：４８」が比較的短い時間帯であり、タグ情報表示領域９２−２の面積が小さいので、タグ情報表示領域９２−２に「保険内」を表示できないからである。そこで、再生制御部３２４は、再生動画表示領域５１の片隅に、タグ情報表示領域９３を配置して、タグ情報表示領域９３に「保険内」を表示させる。シークバー９１は、聴診の時間帯を示しているので、再生制御部３２４は、タグ情報表示領域９３に「保険内」を表示させている。タグ情報表示領域９２−１のように、タグ情報表示領域９２−１だけでタグ情報を全て表示できる場合、タグ情報表示領域９３には何も表示されない。また、タグ情報表示領域９２がない時間帯の場合（例えば、問診の時間帯と聴診の時間帯との間の時間帯）、タグ情報表示領域９３には何も表示されない。
【０１３３】
タグファイルＴＧ−１によれば、再生動画表示領域５１で再生されている在宅医療動画のうち、「００：１３：２６〜００：１５：３６」の時間帯の部分動画のタグ情報は、「注射」および「保険内」である。再生制御部３２４は、シークバー９１の時間軸の「００：１３：２６〜００：１５：３６」に対応する位置に、タグ情報（「注射・保険内」）を表示するタグ情報表示領域９２−３を配置する。
【０１３４】
図１５に示す電子カルテウィンドウＷＤ２は、図４に示す電子カルテ７１−１を表示するウィンドウである。タグ付けされた部分動画と関係する項目（ここでは、項目２（注射の項目）、項目３（聴診の項目）、項目４（問診の項目））は、他の項目と区別して表示されている。例えば、タグ付けされた部分動画と関係する項目は、蛍光色で表示されたり、色を異ならせて表示されたりする。詳しく説明すると、タグファイルＴＧ−１によれば、「００：０３：１５〜００：０７：５６」の時間帯の部分動画と関係するカルテ・レセプト項目は、項目４であり、「００：０９：１０〜００：１０：４８」の時間帯の部分動画と関係するカルテ・レセプト項目は、項目３であり、「００：１３：２６〜００：１５：３６」の時間帯の部分動画と関係するカルテ・レセプト項目は、項目２である。ＭＣカルテ・レセプト処理部３２６は、電子カルテ７１−１の項目のうち、項目２、項目３、項目４を、他の項目と区別して表示する電子カルテウィンドウＷＤ２を生成する。
【０１３５】
図１６に示す電子レセプトウィンドウＷＤ３は、図５に示す電子レセプト７５−１を表示するウィンドウである。タグ付けされた部分動画と関係する項目（ここでは、項目（４）（注射の項目）、項目（５）（聴診の項目）、項目（８）（問診の項目））は、電子カルテ７１−１の場合と同様に、他の項目と区別して表示されている。例えば、タグ付けされた部分動画と関係する項目は、電子カルテ７１−１の場合と同様に、蛍光色で表示されたり、色を異ならせて表示されたりする。詳しく説明すると、タグファイルＴＧ−１によれば、「００：０３：１５〜００：０７：５６」の時間帯の部分動画と関係するカルテ・レセプト項目は、項目（５）であり、「００：０９：１０〜００：１０：４８」の時間帯の部分動画と関係するカルテ・レセプト項目は、項目（８）であり、「００：１３：２６〜００：１５：３６」の時間帯の部分動画と関係するカルテ・レセプト項目は、項目（４）である。ＭＣカルテ・レセプト処理部３２６は、電子レセプト７５−１の項目のうち、項目（４）、項目（５）、項目（８）を、他の項目と区別して表示する電子レセプトウィンドウＷＤ３を生成する。
【０１３６】
このように、タグ付けされた部分動画に紐付けられた、電子カルテ７１−１および電子レセプト７５−１の項目（関係箇所）は、他の項目（関係箇所）を区別して表示される。従って、ユーザが、在宅医療動画を見ながら、電子カルテ７１−１および電子レセプト７５−１をチェックするとき、タグ付けされた部分動画と項目とをスムーズに照合することができる。
【０１３７】
図６、図１２および図１４を参照して、ユーザは、ＭＣ入力部３３を操作して、「再生」ボタン５２１をクリックする。これにより、再生制御部３２４は、在宅医療動画ウィンドウＷＤ１内の再生動画表示領域５１で在宅医療動画を再生させる（Ｓ２６）。ＭＣ時計計時部３２５は、この再生の経過時間を計時する。ユーザは、再生されている在宅医療動画を見ながら、電子レセプトウィンドウＷＤ３に表示されている電子レセプト７５−１（図１６）をチェックする。ユーザは、必要に応じて、電子カルテウィンドウＷＤ２に表示されている電子カルテ７１−１（図１５）を参照する。
【０１３８】
ＭＣカルテ・レセプト処理部３２６は、ＭＣ時計計時部３２５が計時している再生の経過時間を基にして、在宅医療動画ウィンドウＷＤ１内の再生動画表示領域５１で再生している在宅医療動画の再生部分が、タグ付けされた部分動画に到達したか否かを判断する（Ｓ２７）。言い換えれば、ＭＣカルテ・レセプト処理部３２６は、再生動画表示領域５１で再生している在宅医療動画の時間帯が、タグ付けされた部分動画の時間帯に到達したか否かを判断する。
【０１３９】
ＭＣカルテ・レセプト処理部３２６（表示制御部）は、在宅医療動画の再生部分が、タグ付けされた部分動画に到達したと判断したとき（Ｓ２７でＹｅｓ）、この部分動画と関係する項目（関係箇所）を、タグ付けされた残りの部分動画と関係する項目（関係箇所）と区別して表示する（Ｓ２８）。詳しく説明すると、図１７は、問診の時間帯の部分動画に到達したときの電子カルテウィンドウＷＤ２の一例を示す模式図である。図１８は、問診の時間帯の部分動画に到達したときの電子レセプトウィンドウＷＤ３の一例を示す模式図である。ＭＣカルテ・レセプト処理部３２６は、在宅医療動画の再生部分が問診の時間帯の部分動画に到達したとき、図１７に示すように、電子カルテウィンドウＷＤ２に表示されている電子カルテ７１−１の項目４（問診の項目）を、項目２（注射の項目）および項目３（聴診の項目）と区別して表示し、かつ、図１８に示すように、電子レセプトウィンドウＷＤ３に表示されている電子レセプト７５−１の項目（５）（問診の項目）を、項目（４）（注射の項目）および項目（８）（聴診の項目）と区別して表示する。例えば、電子カルテ７１−１の項目４（問診の項目）および電子レセプト７５−１の項目（５）（問診の項目）の蛍光色をより濃くしたり、蛍光の色を変えたりする。これによれば、在宅医療動画の再生部分が、電子カルテ７１−１および電子レセプト７５−１の項目と紐付けられた部分動画であるとき、電子カルテ７１−１および電子レセプト７５−１の項目のうち、この部分動画と紐付けられた項目（関係箇所）を容易に見つけることができる。項目の数が多い場合に特に有効である。
【０１４０】
なお、電子カルテ７１−１が複数のページを有しており、在宅医療動画の再生部分がタグ付けされた部分動画であり、この部分動画と関係する項目が、電子カルテウィンドウＷＤ２に表示されているページに含まれていないことがある。このような場合、ＭＣカルテ・レセプト処理部３２６は、ＭＣカルテ記憶部３６５に記憶されている、サービス受益者Ｏｂ−１の電子カルテ７１−１の中からその項目を含むページを取り出して、電子カルテウィンドウＷＤ２にそのページを表示する。電子レセプト７５−１の場合も同様である。
【０１４１】
図６、図１２および図１４を参照して、ＭＣカルテ・レセプト処理部３２６は、在宅医療動画ウィンドウＷＤ１内の再生動画表示領域５１で再生している在宅医療動画の再生部分が、タグ付けされた部分動画を経過したか否かを判断する（Ｓ２９）。ＭＣカルテ・レセプト処理部３２６は、在宅医療動画の再生部分が、タグ付けされた部分動画を経過していないと判断したとき（Ｓ２９でＮｏ）、処理２８をする。
【０１４２】
ＭＣカルテ・レセプト処理部３２６は、在宅医療動画の再生部分が、タグ付けされた部分動画を経過したと判断したとき（Ｓ２９でＹｅｓ）、処理Ｓ２８を終了する（Ｓ３０）。これにより、ＭＣカルテ・レセプト処理部３２６は、図１８に示す電子レセプト７５−１から図１６に示す電子レセプト７５−１に切り換え、かつ、図１７に示す電子カルテ７１−１から図１５に示す電子カルテ７１−１に切り換える。そして、ＭＣカルテ・レセプト処理部３２６は、処理Ｓ２７に戻る。
【０１４３】
ＭＣカルテ・レセプト処理部３２６は、在宅医療動画ウィンドウＷＤ１内の再生動画表示領域５１で再生している在宅医療動画の時間帯が、タグ付けされた部分動画の時間帯に到達していないと判断したとき（Ｓ２７でＮｏ）、再生制御部３２４は、在宅医療動画の再生が終了したか否かを判断する（Ｓ３１）。再生制御部３２４が、在宅医療動画の再生が終了していないと判断したとき（Ｓ３１でＮｏ）、ＭＣカルテ・レセプト処理部３２６は、処理Ｓ２７に戻る。。再生制御部３２４が、在宅医療動画の再生が終了したと判断したとき（Ｓ３１でＹｅｓ）、ユーザが在宅医療動画を見ながら、電子レセプト７５−１をチェックする事務の支援が終了する。電子レセプト７５−１のチェックを例にして説明したが、電子カルテ７１−１のチェックも、電子レセプト７５−１のチェックの場合と同様である。
【０１４４】
以上が、電子カルテ７１および電子レセプト７５のチェックに関する、医療介護事務支援システムの第１動作である。次に、同第２動作について説明する。図１９は、この動作を説明するフローチャートである。処理Ｓ２１〜処理Ｓ２５は、図１２に示す処理Ｓ２１〜処理Ｓ２５と同じである。この時点では、在宅医療動画ウィンドウＷＤ１の再生動画表示領域５１において、在宅医療動画が再生されていない。
【０１４５】
図６、図１４、図１６および図１９を参照して、ユーザが、電子レセプトウィンドウＷＤ３に表示された電子レセプト７５−１において、タグ付けされた部分動画と関係する項目（言い換えれば、部分動画に紐付けられた項目）をチェックするときに、部分動画を見たいことがある。この場合、ユーザは、ＭＣ入力部３３を操作して、電子レセプトウィンドウＷＤ３に表示された電子レセプト７５−１において、上記項目をクリックする（Ｓ４１）。例えば、項目（８）（聴診の項目）が、クリックされた例で説明する。
【０１４６】
再生制御部３２４は、タグファイルＴＧ−１（図７）を基にして、処理Ｓ２５での在宅医療動画から、項目（８）が紐付けられた部分動画、すなわち、聴診の時間帯の部分動画を、在宅医療動画ウィンドウＷＤ１の再生動画表示領域５１で再生する（Ｓ４２）。以上説明したように、ＭＣカルテ・レセプト処理部３２６（表示制御部）が電子レセプト７５−１（所定書類の画像）を表示する制御中に、ＭＣ入力部３３が操作されて、項目（８）（関係箇所）が選択されたとき、再生制御部３２４は、タグファイルＴＧ−１（紐付け情報）を基にして、在宅医療動画の中から、選択された項目（８）が紐付けられた聴診の時間帯の部分動画を再生する制御をする。これにより、ユーザが在宅医療動画中から、聴診の時間帯の部分動画をサーチする操作（例えば、「早送り」ボタン５２３の操作）をしなくてもよいので、ユーザの手間が省ける。
【０１４７】
サービス受益者Ｏｂ−１の在宅医療動画が複数あり、ユーザが、ＭＣ入力部３３を操作して、電子レセプトウィンドウＷＤ３に表示された電子レセプト７５−１において、クリックした項目と関係する部分動画が、在宅医療動画ウィンドウＷＤ１内の再生動画表示領域５１で再生している在宅医療動画（第１在宅医療動画）に含まれていないことがある。このような場合、再生制御部３２４は、ＭＣ動画情報記憶部３６１に記憶されている、サービス受益者Ｏｂ−１の在宅医療動画の中からその項目と紐付けられた部分動画を含む在宅医療動画（第２在宅医療動画）を取り出して、再生動画表示領域５１で再生する。再生制御部３２４は、第１在宅医療動画に換えて、第２在宅医療動画を再生してもよいし、これらを並べて再生してもよい。
【０１４８】
以上が、電子カルテ７１および電子レセプト７５のチェックに関する、医療介護事務支援システムの第２動作である。第２動作について、電子レセプト７５−１のチェックを例にして説明したが、電子カルテ７１−１のチェックも、電子レセプト７５−１のチェックの場合と同様である。
【０１４９】
なお、図１５および図１６に示すように、第２動作において、ＭＣカルテ・レセプト処理部３２６は、部分動画と紐付けされている項目（項目２、項目３、項目４、項目（４）、項目（５）、項目（８））を他の項目と区別して表示しているが、区別して表示しない態様もある。この態様においても、ユーザがＭＣ入力部３３を操作して、部分動画と紐付けされている項目をクリックしたとき、再生制御部３２４は、クリックした項目が紐付けられた部分動画を再生する制御をする。
【０１５０】
図７を参照して、部分画像が、電子カルテ７１および電子レセプト７５の両方の項目に紐付けられている例で説明したが、部分動画が片方の項目にのみ紐付けられている態様もある。例えば、在宅医療中の所定行為が保険の適用を受けない場合、その所定行為の部分動画は、電子カルテ７１の項目と紐付けられるが、電子レセプト７５の項目とは紐付けられない。
【０１５１】
ここまでは、タグ付けされた部分動画と、電子カルテ７１および電子レセプト７５の項目が紐付けされた部分動画とが共通していたが、これらが共通しないことがある。例えば、部分動画がサービス提供者ＮＳとサービス受益者Ｏｂとの雑談の場面の場合、図７に示すタグファイルＴＧ−１の第１サブ記入事項フィールド４２１に「雑談」が登録される。この部分動画はタグ付けされているが、電子カルテ７１および電子レセプト７５と関係しないので、この部分動画が、電子カルテ７１および電子レセプト７５の項目に紐付けされることはない。以下、詳しく説明する。
【０１５２】
図２０は、タグファイルの他の例を説明する説明図である。タグファイルＴＧ−１ａが図７に示すタグファイルＴＧ−１と異なる点は、時間帯フィールド４１に「００：１６：１０〜００：２０：３９」および第１サブ記入事項フィールド４２１に「雑談」が登録されていることである。これは、「００：１６：１０〜００：２０：３９」の時間帯の部分動画は、雑談の場面であり、この部分動画にタグ付けされいる。タグ情報は「雑談」である。なお、この部分動画には、電子カルテ７１の項目および電子レセプト７５の項目は、紐付けられていない。
【０１５３】
図２１は、在宅医療動画ウィンドウの他の例を示す模式図である。在宅医療動画ウィンドウＷＤ１ａが図１４に示す在宅医療動画ウィンドウＷＤ１と異なる点は、タグ情報表示領域９２−４が追加されていることである。これは、タグファイルＴＧ−１ａにおいて、時間帯フィールド４１に「００：１６：１０〜００：２０：３９」が登録され、第１サブ記入事項フィールド４２１に「雑談」が登録されたことを反映している。タグ情報表示領域９２−４は、図示されていないが、「雑談」の文字を表示している。
【０１５４】
紐付け情報（タグファイルＴＧ）によって、電子カルテ７１および電子レセプト７５の項目（関係箇所）と紐付けされた部分動画を第１部分動画とする。例えば、問診の時間帯の部分動画、聴診の時間帯の部分動画、注射の時間帯の部分動画が第１部分動画である。紐付け情報（タグファイルＴＧ）によって、電子カルテ７１および電子レセプト７５の項目（関係箇所）と紐付けされていない部分動画を第２部分動画とする。例えば、雑談の時間帯の部分動画が第２部分動画である。図６および図２１を参照して、再生制御部３２４は、在宅医療動画ウィンドウＷＤ１内の再生動画表示領域５１で在宅医療動画を再生中に、タグ情報表示領域９２−１〜９２−３（第１タグ情報の表示領域）と、タグ情報表示領域９２−４（第２タグ情報の表示領域）と、を区別して表示する制御をしてもよい。例えば、タグ情報表示領域９２−１〜９２−３が蛍光色で表示される。これにより、ユーザは、在宅医療動画を見ながら、電子カルテ７１および電子レセプト７５をチェックするときに、チェックすべき部分動画（すなわち、第１部分動画）を素早く見つけることができる。第２部分動画の数が多い場合に特に有効である。
【０１５５】
実施形態では、医療介護サービスとして、在宅医療サービスを例に説明したが、訪問看護サービス、訪問介護サービスにも実施形態を適用できる。これらのサービスも、在宅医療サービスと同様に、病院外、介護施設外で実施されるので、カルテ、レセプトに記載すべき事項について、サービス提供者ＮＳが誤記入、記入漏れすることがよくあるからである。実施形態は、在宅医療サービス、訪問看護サービス、および、訪問介護サービスに限らず、病院内、介護施設内で実施される医療介護サービスにも適用することができる。介護サービスの場合、実施形態は、介護記録およびレセプトのチェックの支援に使用される。実施形態は、診療記録を構成する要素の１つであるカルテを例に説明したが、診療記録を構成する他の要素のチェックの支援に実施形態を適用してもよい。
【符号の説明】
【０１５６】
Ｏｂ  サービス受益者
ＮＳ  サービス提供者
ＭＣ  医療介護事務支援装置
ＭＣＳ  医療介護事務支援システム
ＴＧ，ＴＧ−１，ＴＧ−１ａ  タグファイル
ＴＰ  タグ付け画面
ＷＤ１，ＷＤ１ａ  在宅医療動画ウィンドウ
ＷＤ２  電子カルテウィンドウ
ＷＤ３  電子レセプトウィンドウ
７１，７１−１  電子カルテ
７５，７５−１  電子レセプト
９２，９２−１，９２−２，９２−３，９２−４  タグ情報表示領域
９３  タグ情報表示領域
【図１】
2018185728.tif 000003
【図２】
2018185728.tif 000004
【図３】
2018185728.tif 000005
【図４】
2018185728.tif 000006
【図５】
2018185728.tif 000007
【図６】
2018185728.tif 000008
【図７】
2018185728.tif 000009
【図８】
2018185728.tif 000010
【図９】
2018185728.tif 000011
【図１０】
2018185728.tif 000012
【図１１】
2018185728.tif 000013
【図１２】
2018185728.tif 000014
【図１３】
2018185728.tif 000015
【図１４】
2018185728.tif 000016
【図１５】
2018185728.tif 000017
【図１６】
2018185728.tif 000018
【図１７】
2018185728.tif 000019
【図１８】
2018185728.tif 000020
【図１９】
2018185728.tif 000021
【図２０】
2018185728.tif 000022
【図２１】
2018185728.tif 000023